(57)【要約】  シールを形成する装置であり、上部および下部シール部材と、スライダとを含み、シール部材の合い面が係止することを特徴とする。少なくとも１つの実施形態においては、スライダ上の上昇リブおよび閉鎖棒は、それぞれ、上部および下部シール部材上の上昇ウィングおよび閉鎖棒溝と協働する。スライダを反対の方向に移動させることで、上昇リブは、上部シール部材を下部シール部材から上昇させる。スライダを１つの方向に移動させると、上部および下部シール部材が係止する。別の実施形態においては、スライダは、一方の側でスライダ頂部に結合され、他方の側でスライダ底部に結合された中間側面部材を有する。人が閉状態のシールを破ることを可能にする脱出式密封装置を提供する。また、上部シール部材を固定する手段を含む初期停止ブロックを提供する。
2008517676.tif 000002
【特許請求の範囲】
【請求項１】
（ａ）第１のはめ合い面と上昇ウィングとを有する上部シール部材と、
（ｂ）前記第１のはめ合い面と連動する第２のはめ合い面と、閉鎖棒溝とを有する下部シール部材と、
（ｃ）以下を有するスライダ（ｉ）スライダ内側にある第１の位置から前期スライダの開口端部にある第２の位置まで半径方向に内側に湾曲する、前記上部シール部材の前記上昇ウィングと摺動可能に協働する上昇リブと、
（ｉｉ）前記下部シール部材の前記閉鎖棒溝と摺動可能に協働する閉鎖棒と、
（ｉｉｉ）前記上昇リブが閉口時に前記閉鎖棒の近位にあり、前記上昇リブが開口時に前記開口端部にある前記閉鎖棒の近位にある閉口端部を有する本体
とを含み、
前記スライダが、前記スライダ内にある前記上部および下部シール部材を前記開口端部から前記閉口端部に渡すために前記上部シール部材および前記下部シール部材に沿って移動可能であり、前記スライダが、前記第１のはめ合い面を閉じ込めて前記第２のはめ合い面と接触することによってシールを形成する、シールを形成する装置。
【請求項２】
前記上部シール部材および前記下部シール部材の少なくとも一方が、（ａ）補剛インサートと（ｂ）少なくとも２つの異なるデュロメータ材の少なくとも１つで構成される、請求項１に記載の装置。
【請求項３】
前記本体が、内面を有する頂部を含み、前記内面が、前記スライダが前記上部シール部材に沿って移動したときに前記スライダの適切な位置合わせを維持するのを補助するために、前記上部シール部材の頂面のメス溝と協働するオスリブを含む、請求項１に記載の装置。
【請求項４】
前記スライダの前記本体が、前記上部および下部シール部材の少なくとも一方と接触するように位置決めされた部分円筒形状を含む、請求項１に記載の装置。
【請求項５】
前記上部および下部シール部材が、各々、開始部分と中間部分と終了部分とを有し、前記上部シール部材上の前記上昇ウィングが、前記中間部分上にあり、前記開始部分および終了部分上ではない、請求項１に記載の装置。
【請求項６】
前記スライダが、引きタブと、ピンと、傾斜引きタブ軌道とを更に含み、前記引きタブが、前記引きタブ軌道の内側で摺動可能である、請求項１に記載の装置。
【請求項７】
前記上部および下部シール部材の各々が、隣接材料面に取り付けられ、前記隣接材料面が、実質的に平行である、請求項１に記載の装置。
【請求項８】
前記上部および下部シール部材の各々が、隣接材料面に取り付けられ、前記隣接材料面が、前記第１及び第２のはめ合い面に隣接して実質的に同一平面上にある、請求項１に記載の装置。
【請求項９】
前記第１および第２の両はめ合い面が、（ａ）実質的に砂時計状である第１の側と実質的にキノコ状である第２の側とを有する組み合わせオス形状、および（ｂ）少なくとも１つの砂時計状のオス形状の少なくとも一方を含む、請求項1に記載の装置。
【請求項１０】
請求項１に記載の前記装置を含む製品であって、前記製品が、危険物防護服、防火服、ドライ・スーツ、ドライ・バッグ、ビビー・サック、防火ズボン、宇宙服、テント、輸送用包装材、家庭用食品保存用バッグ、地図入れ、チャート入れ、カヤック・スカート、バックパック・カバー、コンピュータ・ケース、電子装置ケース、船舶コンテナ、膨張ケース、浮揚袋、浮揚装置、防水ポケット、釣り用ベスト・ポケット、防臭ポケット、ウェット・スーツ、ジャケット、寝袋、雨具、長靴、カヤック・ジャケット、ウィンド・ブレーカ、風を通さないフリースから成る一群から選択される製品。
【請求項１１】
前記上部および下部シール部材が、連続しており、無端ループを形成し、前記シールが、無端シールを含む、請求項１に記載の装置。
【請求項１２】
前記スライダが、解放可能に締付可能な頂部を含む、請求項１に記載の装置。
【請求項１３】
無端シールを形成する装置であって、
（ａ）第１のはめ合い面を有する無端上部シール部材と、
（ｂ）前記第１のはめ合い面と連動する第２のはめ合い面を有する無端下部シール部材と、
（ｃ）解放可能に締付可能な頂部を有する、前記第１のはめ合い面を前記第２のはめ合い面に連動するスライダと
を含み、
前記解放可能に締付可能な頂部が第１の開放位置にあるときに、前記スライダにて前記無端下部シール部材の少なくとも一部を覆うように前記無端上部シール部材の少なくとも一部を位置決めすることができ、前記スライダが前記無端上部シール部材を前記無端下部シール部材に係止する第２の係止位置に前記解放可能に締付可能な頂部を配置することができ、前記無端上部および下部シール部材に沿って前記スライダを横行させ、前記第１及び第２のはめ合い面を係合させて前記無端シールを形成する装置。
【請求項１４】
前記無端上部シール部材と前記無端下部シール部材の少なくとも一方が、少なくとも２つの異なるデュロメータ材で構成される、請求項１３に記載の装置。
【請求項１５】
前記第１及び第２の両はめ合い面が、（ａ）実質的に砂時計状である第１の側と実質的にキノコ状である第２の側とを有する組み合わせオス形状および（ｂ）少なくとも１つの砂時計状のオス形状の少なくとも一方を含む、請求項1３に記載の装置。
【請求項１６】
前記無端シールの横断面が、実質的に円形である、請求項１３に記載の装置。
【請求項１７】
請求項１３に記載の前記装置を含む製品であって、前記製品が、危険物防護服、防火服、ドライ・スーツ、ドライ・バッグ、遺体袋、ビビー・サック、防火ズボン、宇宙服、テント、輸送用包装材、家庭用食品保存用バッグ、地図入れ、チャート入れ、カヤック・スカート、バックパック・カバー、コンピュータ・ケース、電子装置ケース、船舶コンテナ、膨張ケース、浮揚袋、浮揚装置、防水ポケット、釣り用ベスト・ポケット、防臭ポケット、ウェット・スーツ、ジャケット、寝袋、雨具、長靴、カヤック・ジャケット、ウィンド・ブレーカ、風を通さないフリースから成る一群から選択される製品。
【請求項１８】
前記無端上部シール部材が、上昇ウィングを有し、前記無端下部シール部材が、閉鎖棒溝を有し、前記スライダが、
（ｉ）前記無端上部シール部材の前記上昇ウィングと摺動可能に協働する上昇リブと、
（ｉｉ）前記無端下部シール部材の前記閉鎖棒溝と摺動可能に協働する閉鎖棒と、
（ｉｉｉ）前記上昇リブが閉口時に前記閉鎖棒の近位にある閉口端部と、前記上昇リブが開口時に前記閉鎖棒の近位にある開口端部とを有する本体と
を含み、
前記スライダが、前記スライダ内にある前記上部および下部シール部材を前記開口端部から前記閉口端部に渡すために前記無端上部シール部材および前記無端下部シール部材に沿って移動可能であり、前記スライダが、開始位置から前記無端上部および下部シール部材の長さに沿って終了位置に移動可能であり、前記終了位置が
（Ａ）前記開始位置と、
（Ｂ）前記開始位置に実質的に隣接して
の少なくとも一方にて位置し、前記スライダが、前記第１のはめ合い面を第１のはめ合い面を閉じ込めて前記第２のはめ合い面と接触することによって前記無端シールを形成する装置。
【請求項１９】
前記解放可能に締付可能な頂部が、内面を有し、前記内面が、前記スライダが前記無端上部シール部材に沿って移動したときに前記スライダの適切な位置合わせを維持するのを補助するために、前記無端上部シール部材の頂面のメス溝と協働するオスリブを含む、請求項１８に記載の装置。
【請求項２０】
前記スライダの前記本体が、前記無端上部および下部シール部材の少なくとも一方に接触するように位置決めされた部分円筒形状を含む、請求項１８に記載の装置。
【請求項２１】
前記無端上部シール部材が、前記上昇ウィングが存在しない隙間部分を含む、請求項１８に記載の装置。
【請求項２２】
請求項１８に記載の前記装置を含む製品であって、前記製品が、危険物防護服、防火服、ドライ・スーツ、ドライ・バッグ、遺体袋、ビビー・サック、防火ズボン、宇宙服、テント、輸送用包装材、家庭用食品保存用バッグ、地図入れ、チャート入れ、カヤック・スカート、バックパック・カバー、コンピュータ・ケース、電子装置ケース、船舶コンテナ、膨張ケース、浮揚袋、浮揚装置、防水ポケット、釣り用ベスト・ポケット、防臭ポケット、ウェット・スーツ、ジャケット、寝袋、雨具、長靴、カヤック・ジャケット、ウィンド・ブレーカ、風を通さないフリースから成る一群から選択される製品。
【請求項２３】
無端シールを形成する装置であって、
（ａ）第１のはめ合い面を有する無端上部シール部材と、
（ｂ）前記第１のはめ合い面と連動する第２のはめ合い面を有する無端下部シール部材と、
（ｃ）前記無端上部および下部シール部材に沿って移動可能な、前記第１のはめ合い面を前記第２のはめ合い面に連動することによって前記無端シールを形成するスライダと
を含む装置。
【請求項２４】
前記無端シールが、（ａ）気体移動防止シールと、（ｂ）気密シールと、（ｃ）防水シールと、（ｄ）耐水シールと、（ｅ）流体透過シールと、（ｆ）気体透過シールの少なくとも１つを含む、請求項２３に記載の装置。
【請求項２５】
前記スライダが、解放可能に締付可能な頂部を含む、請求項２３に記載の装置。
【請求項２６】
前記解放可能に締付可能な頂部が第１の開放位置にあるときに、前記スライダにて前記無端下部シール部材の少なくとも一部を覆うように前記無端上部シール部材の少なくとも一部を位置決めすることができ、前記スライダが前記無端上部シール部材を前記無端下部シール部材に係止する第２の係止位置に前記解放可能に締付可能な頂部を配置することができ、前記無端上部および下部シール部材に沿って前記スライダを横行させ、前記第１及び第２のはめ合い面を係合させて前記無端シールを形成することができる、請求項２５に記載の装置。
【請求項２７】
前記無端上部シール部材が、上昇ウィングを有し、前記無端下部シール部材が、閉鎖棒溝を有し、前記スライダが、
（ｉ）前記無端上部シール部材の前記上昇ウィングと摺動可能に協働する上昇リブと、
（ｉｉ）前記無端下部シール部材の前記閉鎖棒溝と摺動可能に協働する閉鎖棒と、
（ｉｉｉ）前記上昇リブが閉口時に前記閉鎖棒の近位にある閉口端部と、前記上昇リブが開口時に前記閉鎖棒の近位にある開口端部とを有する本体と
を含み、
前記スライダが、前記スライダ内にある前記上部および下部シール部材を前記開口端部から前記閉口端部に渡すために前記無端上部シール部材および前記無端下部シール部材に沿って移動可能であり、前記スライダが、開始位置から前記無端上部および下部シール部材の長さに沿って終了位置に移動可能であり、前記終了位置が
（Ａ）前記開始位置と、
（Ｂ）前記開始位置に実質的に隣接して
の少なくとも一方にて位置し、前記スライダが、前記第１のはめ合い面を閉じ込めて前記第２のはめ合い面と接触することによって前記無端シールを形成する、請求項２３に記載の装置。
【請求項２８】
前記無端上部シール部材が、前記上昇ウィングが存在しない隙間部分を含む、請求項２７に記載の装置。
【請求項２９】
前記無端シールの横断面が、実質的に円形である、請求項２３に記載の装置。
【請求項３０】
請求項２３に記載の前記装置を含む製品であって、前記製品が、危険物防護服、防火服、ドライ・スーツ、ドライ・バッグ、遺体袋、ビビー・サック、防火ズボン、宇宙服、テント、輸送用包装材、家庭用食品保存用バッグ、地図入れ、チャート入れ、カヤック・スカート、バックパック・カバー、コンピュータ・ケース、電子装置ケース、船舶コンテナ、膨張ケース、浮揚袋、浮揚装置、防水ポケット、釣り用ベスト・ポケット、防臭ポケット、ウェット・スーツ、ジャケット、寝袋、雨具、長靴、カヤック・ジャケット、ウィンド・ブレーカ、風を通さないフリースから成る一群から選択される製品。
【請求項３１】
無端閉鎖を形成する装置であって、
（ａ）第１の無端閉鎖部材と、
（ｂ）前記第１の無端閉鎖部材と連動する第２の無端閉鎖部材と、
（ｃ）前記第１及び第２の無端閉鎖部材に沿って移動可能な、前記第１の無端閉鎖部材を前記第２の無端閉鎖部材に連動することによって前記無端閉鎖を形成する連結手段と
を含む装置。
【請求項３２】
前記第１の無端閉鎖部材が、前記第２の無端閉鎖部材の第２のはめ合い面と連動する第１のはめ合い面を含む請求項３１に記載の装置。
【請求項３３】
前記無端閉鎖が、（ａ）気体移動防止閉鎖と、（ｂ）気密閉鎖と、（ｃ）防水閉鎖と、（ｄ）耐水閉鎖と、（ｅ）流体透過閉鎖と、（ｆ）気体透過閉鎖の少なくとも１つを含む、請求項３１に記載の装置。
【請求項３４】
シールを形成する装置であって、
（ａ）第１のはめ合い面を有する上部シール部材と、
（ｂ）前記第１のはめ合い面と連動する第２のはめ合い面を有する下部シール部材と、
（ｃ）前記スライダの頂部と連結された第１の側のみを有する中間側面部材を有しかつ前記スライダの底部に連結された第２の側のみを有する、前記第１のはめ合い面を前記第２のはめ合い面に連動するスライダと
を含み、
前記スライダが、前記スライダ内にある前記上部および下部シール部材を前記スライダの開口端部から閉口端部に渡すために前記上部シール部材および前記下部シール部材に沿って移動可能であり、前記スライダが、前記第１のはめ合い面を閉じ込めて前記第２のはめ合い面と接触することによって前記シールを形成する装置。
【請求項３５】
前記上部シール部材および前記下部シール部材の少なくとも一方が、少なくとも２つの異なるデュロメータ材で構成される、請求項３４に記載の装置。
【請求項３６】
前記スライダが、引きタブと、ピンと、傾斜引きタブ軌道とを更に含み、前記引きタブが、前記引きタブ軌道に関して摺動可能である、請求項３４に記載の装置。
【請求項３７】
前記第１および第２の両はめ合い面が、少なくとも１つの砂時計状のオス形状を含む、請求項３４に記載の装置。
【請求項３８】
前記第１および第２の両はめ合い面が、実質的に砂時計状である第１の側と実質的にキノコ状である第２の側とを有する少なくとも１つの組み合わせを含む、請求項３４に記載の装置。
【請求項３９】
前記中間側面部材が、第１の実質的に上方に配向されたリブと第２の実質的に下方に配向されたリブとを含み、前記第１のリブが、前記スライダが前記上部シール部材に沿って移動したときに前記上部シール部材と協働し、前記第２のリブが、前記スライダが前記下部シール部材に沿って移動したときに前記下部シール部材と協働する、請求項３４に記載の装置。
【請求項４０】
前記下部シール部材の端部にて初期停止ブロックを更に含み、前記初期停止ブロックが、前記上部シール部材を解放可能に締め付ける手段を含む、請求項３４に記載の装置。
【請求項４１】
前記スライダの前記閉口端部が、前記シールを形成するために前記スライダを移動させる前に前記初期停止ブロックに隣接して位置決めされる、請求項４０に記載の装置。
【請求項４２】
解放可能に締め付ける前記手段が、前記上部シール部材の穴に係合する突出部を含む、請求項４０に記載の装置。
【請求項４３】
解放可能に締め付ける前記手段が、（ｉ）前記上部シール部材を前記初期停止ブロックに締め付ける摩擦力と（ｉｉ）前記上部シール部材を前記初期停止ブロックに締め付ける磁気力の少なくとも一方を利用する、請求項４０に記載の装置。
【請求項４４】
前記スライダが、
（ｉ）前記上部または下部シール部材の端部と、
（ｉｉ）前記スライダの長さと少なくとも同じ長さを有する、前記上部または下部シール部材内の隙間と
の少なくとも一方にて前記上部または下部シール部材の少なくとも一方を離脱させる、請求項３４に記載の装置。
【請求項４５】
前記上部または下部シール部材の一方の端部にて初期停止ブロックを更に含み、前記初期停止ブロックが、前記上部または下部シール部材の少なくとも一方を解放可能に締め付ける手段を含む、請求項４４に記載の装置。
【請求項４６】
前記上部および下部シール部材の間での離脱力の印加によって前記下部シール部材から前記上部シール部材を分離させることができ、前記スライダが、前記上部シール部材の長さの任意の部分に沿った前記下部シール部材からの前記上部シール部材の分離を阻止しない、請求項４４に記載の装置。
【請求項４７】
請求項４６に記載の前記装置を含む製品であって、前記製品が寝袋である製品。
【請求項４８】
請求項３４に記載の前記装置を含む製品であって、前記製品が、危険物防護服、防火服、ドライ・スーツ、ドライ・バッグ、遺体袋、ビビー・サック、防火ズボン、宇宙服、テント、輸送用包装材、家庭用食品保存用バッグ、地図入れ、チャート入れ、カヤック・スカート、バックパック・カバー、コンピュータ・ケース、電子装置ケース、船舶コンテナ、膨張ケース、浮揚袋、浮揚装置、防水ポケット、釣り用ベスト・ポケット、防臭ポケット、ウェット・スーツ、ジャケット、寝袋、雨具、長靴、カヤック・ジャケット、ウィンド・ブレーカ、風を通さないフリースから成る一群から選択される製品。
【請求項４９】
前記下部シール部材が、第１および第２のはめ合い面を有する二重下部シール部材を含み、前記第１及び第２のはめ合い面が離間される、請求項３４に記載の装置。
【請求項５０】
前記二重下部シール部材と連動する第２の上部シール部材を更に含む、請求項４９に記載の装置。
【請求項５１】
シールを形成する装置であって、
（ａ）第１のはめ合い面を有する上部シール部材と、
（ｂ）前記第１のはめ合い面と連動する第２のはめ合い面を有する下部シール部材と、
（ｃ）前端を有する中間側面部材を有する、前記第１のはめ合い面を前記第２のはめ合い面に連動するスライダと
を含み、
前記スライダが、
（ｉ）前記中間側面部材の前記前端の後に長手方向に位置する頂部前端を有する頂部と、
（ｉｉ）前記中間側面部材の前記前端の後に長手方向に位置する底部前端を有する底部と
の少なくとも一方を有し、
前記スライダが、前記スライダ内にある前記上部および下部シール部材を前記スライダの開口端部から閉口端部に渡すために前記上部シール部材および前記下部シール部材に沿って移動可能であり、前記スライダが、前記第１のはめ合い面を閉じ込めて前記第２のはめ合い面と接触することによって前記シールを形成する装置。
【請求項５２】
前記中間側面部材の第１の側のみが、前記スライダの前記頂部に連結され、前記中間側面部材の第２の側のみが、前記スライダの前記底部に連結される、請求項５１に記載の装置。
【請求項５３】
前記中間側面部材が、第１の実質的に上方に配向されたリブと第２の実質的に下方に配向されたリブとを含み、前記第１のリブが、前記スライダが前記上部シール部材に沿って移動したときに前記上部シール部材と協働し、前記第２のリブが、前記スライダが前記下部シール部材に沿って移動したときに前記下部シール部材と協働する、請求項５１に記載の装置。
【請求項５４】
前記上部または下部シール部材の前記一方の端部にて初期停止ブロックを更に含み、前記初期停止ブロックが、前記上部または下部シール部材を解放可能に締め付ける手段を含む、請求項５１に記載の装置。
【請求項５５】
前記スライダが、
（ｉ）前記上部または下部シール部材の端部と、
（ｉｉ）前記スライダの長さと少なくとも同じ長さを有する、前記上部または下部シール部材内の隙間と
の少なくとも一方にて前記上部または下部シール部材の少なくとも一方を離脱させる、請求項５１に記載の装置。
【請求項５６】
前記上部および下部シール部材の間での離脱力の印加によって前記下部シール部材から前記上部シール部材を分離させることができ、前記スライダが、前記上部シール部材の長さの任意の部分に沿った前記下部シール部材からの前記上部シール部材の分離を阻止しない、請求項５５に記載の装置。
【請求項５７】
請求項５６に記載の前記装置を含む製品であって、前記製品が、寝袋である製品。
【請求項５８】
（ａ）第１のはめ合い面を有する上部シール部材と、
（ｂ）前記第１のはめ合い面と連動する第２のはめ合い面を有する下部シール部材と、
（ｃ）前記第１のはめ合い面を前記第２のはめ合い面に連動するスライダと
を含み、
前記スライダが、前記スライダ内にある前記上部および下部シール部材を前記スライダの開口端部から閉口端部に渡すために前記上部シール部材および前記下部シール部材に沿って移動可能であり、前記スライダが、前記第１のはめ合い面を閉じ込めて前記第２のはめ合い面と接触することによって前記シールを形成し、前記スライダが、
（ｉ）前記上部または下部シール部材の端部と、
（ｉｉ）前記スライダの長さと少なくとも同じ長さを有する、前記上部または下部シール部材内の隙間と
の少なくとも一方にて前記上部または下部シール部材の少なくとも一方を離脱させ、
前記スライダが前記上部または下部シール部材から離脱されたとき、前記上部および下部シール部材の間での離脱力の印加によって前記下部シール部材から前記上部シール部材を分離させることができ、前記スライダが、前記上部シール部材の長さの任意の部分に沿った前記下部シール部材からの前記上部シール部材の分離を阻止しない離脱式密封装置。
【請求項５９】
前記離脱力が、前記上部および下部シール部材に連結された材料を強制的に離すことによって生成される、請求項５８に記載の装置。
【請求項６０】
請求項５８に記載の前記装置を含む製品であって、前記製品が、寝袋である製品。
【請求項６１】
前記スライダが、前端を有する中間側面部材を含み、前記スライダが、
（ｉ）前記中間側面部材の前記前端の後に長手方向に位置する頂部前端を有する頂部と、
（ｉｉ）前記中間側面部材の前記前端の後に長手方向に位置する底部前端を有する底部と
の少なくとも一方を有する、請求項５８に記載の装置。
【請求項６２】
前記スライダが、中間側面部材を含み、前記中間側面部材の第１の側のみが、前記スライダの頂部に連結され、前記中間側面部材の第２の側のみが、前記スライダの底部に連結される、請求項５８に記載の装置。
【請求項６３】
前記スライダが、第１の実質的に上方に配向されたリブと第２の実質的に下方に配向されたリブとを含む中間側面部材を含み、前記第１のリブが、前記スライダが前記上部シール部材に沿って移動したときに前記上部シール部材と協働し、前記第２のリブが、前記スライダが前記下部シール部材に沿って移動したときに前記下部シール部材と協働する、請求項５８に記載の装置。
【請求項６４】
（ａ）前記上部シール部材が、上昇ウィングを含み、
（ｂ）前記下部シール部材が、閉鎖棒溝を含み、
（ｃ）前記スライダが、
（ｉ）前記上部シール部材の前記上昇ウィングと摺動可能に協働する上昇リブと、
（ｉｉ）前記下部シール部材の前記閉鎖棒溝と摺動可能に協働する閉鎖棒と
を含む、請求項５８に記載の装置。
【請求項６５】
前記上昇リブが、前記スライダ内にある第１の位置から開口端部にある第２の位置まで半径方向に内側に湾曲する、請求項６４に記載の装置。
【発明の詳細な説明】
【技術分野】
【０００１】
本発明は、織物と他の材料との間のシールを形成することができる装置に関するものである。
【背景技術】
【０００２】
締付装置は、一般的に、構成部品に沿って摺動部を移動させることで強制的に連結および分離する歯を有する２つの柔軟性のある細長い構成部品を含む。このような締付装置は、衣類および鞄など、様々な物品の開閉に長く使用されているが、このような装置は、ファスナの内側に液体および気体が進入するという問題があり、したがって、風を通さない物品、ガス気密物品および防水物品もしくは風を通さない物品、気密物品または防水物品が望ましい状況には有用ではない。
【０００３】
液密性のファスナが利用可能であるが、このようなファスナは、一般的に、ファスナ端部では液密性ではない。更に、この他に、互いに離れて延在するのに対して、互いに隣接して位置合わせされるシール部材を有する装置がある。更に、これら以外には、高価で重量があり、および、風を通さない防水の閉鎖もしくは風を通さないかまたは防水の閉鎖を達成するために締付装置を覆うように被覆材を使用することが必要な装置がある。
【発明の開示】
【発明が解決しようとする課題】
【０００４】
また、有害廃棄物防護服への手袋または長靴の取り付けなど、第１の物品の第２の物品への物品取り付け用無端密封装置に対する要望がある。
また、実質的に対向する方向に方向づけられる上部シール部材と下部シール部材と共に作動する実質的に目立たないスライダを実現する密封装置に対する要望がある。例えば、ジャケット用上部および下部シール部材と共に作動するスライダを実現することによって、相対的に目立たずかつ上部および下部シール部材も実質的に平らに静置されると同時に、シールの長さに沿って防水でかつ風を通さない閉鎖を実現することは有利であろう。
【０００５】
また、極限または緊急時の状況で兵士または緊急事態対応作業員が寝袋から押し出ることを可能にするようなチャックシステムに対する要望がある。このような状況においては、極度に緊張に満ちおよび生命を脅かすかもしくは極度に緊張に満ちるかまたは生命を脅かす状況ではタブまたはチャック引き部はあまりにも操作しにくいために、寝袋ユーザには、気持ちを集中し直してこれらの装置を手探りする時間または能力はない。従来技術では、ユーザが緊張に満ちたかまたは悪天候の状況で敏速に寝袋から離脱、退去することが可能ではない標準的なチャックを有する一般的な寝袋構成が提供されている。したがって、好ましくは、操作しやすく、速く抜け出し、防水でコスト効率の高い離脱式寝袋（または代替収容物品）が必要とされている。
【０００６】
また、上部および下部シール部材に沿ってスライダを前進させてシールを形成すると同時に、下部シール部材に対して上部シール部材を所定の位置に保持するためにシール端部に位置決めすることができる、スライダおよび上部および下部シール部材と協働する装置に対する要望がある。
【０００７】
また、シールの不要な開きに対する十分な耐性も実現すると同時に、適切な水密かつ気体移動防止シールを実現するはめ合い形状に対する要望もある。
本発明の独自の特徴は、外被の外側に装置のスライダ部を常に維持すると同時に、材料の２つの対向する面を有する物体にシールを実現する能力である。
【課題を解決するための手段】
【０００８】
第１の実施形態においては、本密封装置は、３つの主要構成部品、（１）上部シール部材と、（２）下部シール部材と、（３）スライダとで構成される。スライダは、少なくとも１つの上昇リブと閉鎖棒とを含む。使用時には、スライダをシールの長さに沿って前後に移動させて上部シール部材を下部シール部材に連結することによって、シールを形成する。更に詳しくは、スライダ本体は、スライダが閉口方向に移動したときに上部シール部材を下部シール部材に圧入する閉じ込め部を含む。シールを開くために、スライダの内側の上昇リブが、上部シール部材を引っ張って、閉鎖棒によってスライダ底部に係止される下部シール部材から放す。
【０００９】
第１の実施形態の改変例においては、スライダの開口部分の内側に上昇リブのみを含むスライダを提供する。スライダの閉口部分は、下部シール部材を係止する閉鎖棒を含み、スライダ本体が上部シール部材を下部シール部材に圧入してシールを閉鎖することを可能にする。閉口部分は、上部シール部材が下部シール部材に入ると傾動することによって上部シール部材の若干の回転を形成する傾斜部分を含むことができ、その結果、シール品質が改善される。この改変実施形態の開口部分は、上昇ウィングの下にある上部シール部材を上昇させることで上部シール部材を下部シール部材から分離する１つの上昇リブを含むことが好ましい。下部シール部材の分離は、好ましくはスライダの長さを延ばす閉鎖棒によってスライダ底部に下部シール部材が係止されるために発生する。１つの上昇リブと共に使用されたとき、開口部分が上部シール部材が下部シール部材を退出するときに上部シール部材の若干の回転を生成し、その結果、スライダの動きおよびシール品質の寿命が向上する。
【００１０】
第２の実施形態においては、耐水密封装置は、４つの主要構成部品、（１）上部シール部材と、（２）下部シール部材と、（３）スライダと、（４）栓とで構成される。この実施形態の上部シール部材は、上昇ウィングを必要としない。更に、下部シール部材は、閉鎖棒溝を必要としない。この実施形態のスライダは、上部シール部材と下部シール部材のシール面と合わさってかつ協働する内部構造体を有する。更に、スライダの内部構造体の形状は、漏斗と類似のものである。スライダがシールの長さに沿って渡されるとき、スライダは、閉口端部にてシールを閉じ込めてシールを形成する。すなわち、上部シール部材と下部シール部材は、共に漏斗状態である。開口方向に使用されたとき、その反対が発生し、シールの内部構造体は、上部シール部材を下部シール部材から分離する。
【００１１】
本発明の別の実施形態は、栓を使用してシールの最も端の範囲にて耐水シールを形成する。栓は、シールの端部に永久的に固定される。更に、栓は、上部シール部材および下部シール部材のはめ合い面と合わさる。更に、栓の構造体は、スライダがスライダに関する閉口位置に入れられたときにスライダと合わさる。したがって、上部シール部材および下部シール部材のはめ合い面は、スライダが栓に関する閉口位置に入れられたときにスライダと栓の両方の内部構造体周りにシールを形成する。
【００１２】
本発明の少なくとも１つの実施形態によれば、密封装置は、湾曲上昇ウィングを有するスライダを含む。更に詳しくは、シールを形成または生成する密封装置であって、スライダと、第１のはめ合い面と上昇ウィングとを有する第１のまたは上部シール部材と、第１のはめ合い面と連動する、第２のはめ合い面と閉鎖棒溝とを有する第２のまたは下部シール部材とを含む密封装置を提供する。スライダは、スライダ内にある第１の位置からスライダの開口端部にある第２の位置まで半径方向に内側に彎曲する、上部シール部材の上昇ウィングと摺動可能に協働する上昇リブを含む。更に、スライダは、下部シール部材の閉鎖棒溝と摺動可能に協働する閉鎖棒を含む。また、スライダは、上昇リブが閉口時に閉鎖棒の近位にあり、上昇リブが開口時に開口端部にある閉鎖棒の近位にある閉口端部を有する本体を含む。スライダは、スライダ内にある上部および下部シール部材を開口端部から閉口端部に渡すために上部シール部材および下部シール部材に沿って移動可能であり、スライダは、第１のはめ合い面を閉じ込めて第２のはめ合い面と接触することによってシールを形成する。
【００１３】
本発明の少なくとも１つの実施形態によれば、上部シール部材および下部シール部材の少なくとも一方は、少なくとも２つの異なるデュロメータ材で構成される。
本発明の少なくとも１つの実施形態によれば、上部シール部材および下部シール部材の少なくとも一方は、補剛インサートで構成される。
【００１４】
本発明の少なくとも１つの実施形態によれば、スライダの本体は、内面を有する頂部を含み、内面が、スライダが上部シール部材に沿って移動したときにスライダの適切な位置合わせを維持するのを補助するために、上部シール部材の頂面のメス溝と協働するオスリブを含む。
【００１５】
本発明の少なくとも１つの実施形態によれば、スライダの本体は、上部および下部シール部材の少なくとも一方と接触するように位置決めされた部分円筒形状を含む。
本発明の少なくとも１つの実施形態によれば、上部および下部シール部材は、各々、開始部分と中間部分と終了部分とを有し、上部シール部材上の上昇ウィングは、中間部分上にあり、開始部分および終了部分上ではない。
【００１６】
本発明の少なくとも１つの実施形態によれば、スライダは、引きタブと、ピンと、傾斜引きタブ軌道と更に含み、引きタブが、引きタブ軌道の内側で摺動可能である。
本発明の少なくとも１つの実施形態によれば、上部および下部シール部材の各々は、隣接材料面に取り付けられ、隣接材料面が、実質的に平行である。
【００１７】
本発明の少なくとも１つの実施形態によれば、上部および下部シール部材の各々は、隣接材料面に取り付けられ、隣接材料面が、第１及び第２のはめ合い面に隣接して実質的に同一平面上にある。
【００１８】
本発明の少なくとも１つの実施形態によれば、第１および第２の両はめ合い面は、少なくとも１つの砂時計状のオス形状を含む。
本発明の少なくとも１つの実施形態によれば、第１および第２の両はめ合い面は、実質的に砂時計状である第１の側と実質的にキノコ状である第２の側とを有する組み合わせオス形状を含む。
【００１９】
本発明の少なくとも１つの実施形態によれば、上部および下部シール部材は連続しており、無端ループを形成し、シールは、無端シールを含む。
本発明の少なくとも１つの実施形態によれば、スライダは、解放可能に締付可能または係止可能な頂部を含み、ヒンジを含むことができる。
【００２０】
本発明の少なくとも１つの実施形態は、新規な利点を提供する。つまり無端シールを形成する構造物を提供する。したがって、本発明の少なくとも１つの実施形態によれば、無端シールを形成する装置は、（ａ）第１のはめ合い面を有するエンドレス第１すなわち上部シール部材と、（ｂ）第１のはめ合い面と連動する第２のはめ合い面を有する無端第２すなわち下部シール部材と、（ｃ）解放可能に締付可能な頂部を有する、第１のはめ合い面を第２のはめ合い面に連動するスライダとを含む。解放可能に締付可能な頂部が第１の開放位置にあるときに、スライダにて無端下部シール部材の少なくとも一部を覆うように無端上部シール部材の少なくとも一部を位置決めすることができ、第２の締付位置に解放可能に締付可能な頂部を配置することができ、スライダは、無端上部シール部材を無端下部シール部材に係止し、無端上部および下部シール部材に沿ってスライダを横行させ、第１及び第２のはめ合い面を係合させて無端シールを形成することができる。
【００２１】
本発明の少なくとも１つの実施形態によれば、無端シールの横断面は、実質的に円形である。
本発明の少なくとも１つの実施形態によれば、無端上部シール部材は、上昇ウィングを有し、無端下部シール部材は、閉鎖棒溝を有し、スライダは、（ｉ）無端上部シール部材の上昇ウィングと摺動可能に協働する上昇リブと、（ｉｉ）無端下部シール部材の閉鎖棒溝と摺動可能に協働する閉鎖棒と、（ｉｉｉ）上昇リブが閉口時に閉鎖棒の近位にある閉口端部と、上昇リブが開口時に閉鎖棒の近位にある開口端部とを有する本体とを含む。スライダは、スライダ内にある上部および下部シール部材を開口端部から閉口端部に渡すために無端上部シール部材および無端下部シール部材に沿って移動可能であり、スライダは、開始位置から無端上部および下部シール部材の長さに沿って終了位置に移動可能であり、終了位置は、（Ａ）開始位置と、（Ｂ）開始位置に実質的に隣接しての少なくとも一方にて位置し、スライダは、第１のはめ合い面を第１のはめ合い面を閉じ込めて第２のはめ合い面と接触することによって無端シールを形成する。
【００２２】
本発明の少なくとも１つの実施形態によれば、解放可能に締付可能な頂部は、内面を有し、内面は、スライダが無端上部シール部材に沿って移動したときにスライダの適切な位置合わせを維持するのを補助するために、無端上部シール部材の頂面のメス溝と協働するオスリブを含む。
【００２３】
本発明の少なくとも１つの実施形態によれば、スライダの本体は、無端上部および下部シール部材の少なくとも一方に接触するように位置決めされた部分円筒形状を含む。
本発明の少なくとも１つの実施形態によれば、無端上部シール部材は、上昇ウィングが存在しない隙間部分を含む。
【００２４】
本発明の少なくとも１つの実施形態によれば、無端シールを形成する装置は、（ａ）第１のはめ合い面を有する無端上部シール部材と、（ｂ）第１のはめ合い面と連動する第２のはめ合い面を有する無端下部シール部材と、（ｃ）無端上部および下部シール部材に沿って移動可能な、第１のはめ合い面を第２のはめ合い面に連動することによって無端シールを形成するスライダとを含む。
【００２５】
本発明の少なくとも１つの実施形態によれば、無端シールまたは無端閉鎖は、（ａ）気体移動防止シールと、（ｂ）気密シールと、（ｃ）防水シールと、（ｄ）耐水シールと、（ｅ）流体透過シールと、（ｆ）気体透過シールの少なくとも１つを含む。
【００２６】
本発明の少なくとも１つの実施形態によれば、解放可能に締付可能な頂部が第１の開放位置にあるときに、スライダにて無端下部シール部材の少なくとも一部を覆うように無端上部シール部材の少なくとも一部を位置決めすることができ、スライダが無端上部シール部材を無端下部シール部材に係止する第２の係止位置に解放可能に締付可能な頂部を配置することができ、無端上部および下部シール部材に沿ってスライダを横行させ、第１及び第２のはめ合い面を係合させて無端シールを形成することができる。
【００２７】
本発明の少なくとも１つの実施形態によれば、無端上部シール部材は、上昇ウィングを有し、無端下部シール部材は、閉鎖棒溝を有し、スライダは、（ｉ）無端上部シール部材の上昇ウィングと摺動可能に協働する上昇リブと、（ｉｉ）無端下部シール部材の閉鎖棒溝と摺動可能に協働する閉鎖棒と、（ｉｉｉ）上昇リブが閉口時に閉鎖棒の近位にある閉口端部と、上昇リブが開口時に閉鎖棒の近位にある開口端部とを有する本体とを含む。スライダは、スライダ内にある上部および下部シール部材を開口端部から閉口端部に渡すために無端上部シール部材および無端下部シール部材に沿って移動可能であり、スライダは、開始位置から無端上部および下部シール部材の長さに沿って終了位置に移動可能であり、終了位置は、（Ａ）開始位置と、（Ｂ）開始位置に実質的に隣接しての少なくとも一方にて位置し、スライダは、第１のはめ合い面を第１のはめ合い面を閉じ込めて第２のはめ合い面と接触することによって無端シールを形成する。
【００２８】
本発明の少なくとも１つの実施形態によれば、無端閉鎖を形成する装置は、（ａ）第１の無端閉鎖部材と、（ｂ）第１の無端閉鎖部材と連結する第２の無端閉鎖部材と、（ｃ）第１及び第２の無端閉鎖部材に沿って移動可能な、第１の無端閉鎖部材を第２の無端閉鎖部材に連結することによって無端閉鎖を形成する連結手段とを含む。
【００２９】
本発明の少なくとも１つの実施形態によれば、第１の無端閉鎖部材は、第２の無端閉鎖部材の第２のはめ合い面と連動する。
本発明の少なくとも１つの実施形態によれば、スライダが上昇リブを含まず、かつ、閉鎖棒を含まないシールを形成する新規な装置を提供する。同様に、第１のまたは上部シール部材は、上昇ウィングを含まず、第２のまたは下部シール部材は、閉鎖棒溝を含まない。したがって、本発明の少なくとも１つの実施形態によれば、（ａ）第１のはめ合い面を有する上部シール部材と、（ｂ）第１のはめ合い面と連動する第２のはめ合い面を有する下部シール部材と、（ｃ）第１のはめ合い面を第２のはめ合い面に連動するスライダとを含み、スライダは、スライダの頂部に連結された第１の側のみを有し、スライダの底部に連結された第２の側のみを有する中間側面部材を有する密封装置を提供する。スライダは、スライダ内にある上部および下部シール部材をスライダの開口端部から閉口端部に渡すために上部シール部材および下部シール部材に沿って移動可能であり、スライダは、第１のはめ合い面を閉じ込めて第２のはめ合い面と接触することによってシールを形成する。
【００３０】
本発明の少なくとも１つの実施形態によれば、中間側面部材は、第１の実質的に上方に配向されたリブと第２の実質的に下方に配向されたリブとを含み、第１のリブは、スライダが上部シール部材に沿って移動したときに上部シール部材と協働し、第２のリブは、スライダが下部シール部材に沿って移動したときに下部シール部材と協働する。
【００３１】
本発明の少なくとも１つの実施形態によれば、初期停止ブロックは、下部シール部材の端部に設置され、初期停止ブロックは、上部シール部材を解放可能に締め付ける手段を含む。
【００３２】
本発明の少なくとも１つの実施形態によれば、閉口端部は、シールを形成するためにスライダを移動させる前に初期停止ブロックに隣接して位置決めされる。
本発明の少なくとも１つの実施形態によれば、解放可能に締め付ける手段は、上部シール部材の穴に係合する突出部を含む。
【００３３】
本発明の少なくとも１つの実施形態によれば、解放可能に締め付ける手段は、（ｉ）上部シール部材を初期停止ブロックに締め付ける摩擦力と（ｉｉ）上部シール部材を初期停止ブロックに締め付ける磁気力の少なくとも一方を利用する。
【００３４】
本発明の少なくとも１つの実施形態によれば、スライダは、（ｉ）上部または下部シール部材の端部と、（ｉｉ）スライダの長さと少なくとも同じ長さを有する、上部または下部シール部材内の隙間との少なくとも一方にて上部または下部シール部材の少なくとも一方を離脱させる。
【００３５】
本発明の少なくとも１つの実施形態によれば、初期停止ブロックは、上部または下部シール部材の一方の端部に設置され、初期停止ブロックが、上部または下部シール部材の少なくとも一方を解放可能に締め付ける手段を含む。
【００３６】
本発明の少なくとも１つの実施形態によれば、上部および下部シール部材の間での離脱力の印加によって下部シール部材から上部シール部材を分離することができ、スライダは、上部シール部材の長さの任意の部分に沿った下部シール部材からの上部シール部材の分離を阻止しない。
【００３７】
本発明の少なくとも１つの実施形態によれば、離脱式密封装置を利用する製品は、寝袋である。
本発明の少なくとも１つの実施形態によれば、下部シール部材は、第１および第２のはめ合い面を有する二重下部シール部材を含み、第１及び第２のはめ合い面が離間される。本発明の少なくとも１つの実施形態によれば、二重下部シール部材と連結する第２の上部シール部材が設置される。
【００３８】
本発明の少なくとも１つの実施形態によれば、シールを形成する装置であって、（ａ）第１のはめ合い面を有する上部シール部材と、（ｂ）第１のはめ合い面と連動する第２のはめ合い面を有する下部シール部材と、（ｃ）前端を有する中間側面部材を有する、第１のはめ合い面を第２のはめ合い面に連動するスライダとを含み、スライダは、（ｉ）中間側面部材の前端の後に長手方向に位置する頂部前端を有する頂部と、（ｉｉ）中間側面部材の前端の後に長手方向に位置する底部前端を有する底部との少なくとも一方を有する装置を提供する。スライダは、スライダ内にある上部および下部シール部材をスライダの開口端部から閉口端部に渡すために上部シール部材および下部シール部材に沿って移動可能であり、スライダは、第１のはめ合い面を閉じ込めて第２のはめ合い面と接触することによってシールを形成する。
【００３９】
本発明の少なくとも１つの実施形態によれば、中間側面部材の第１の側のみが、スライダの頂部に連結され、中間側面部材の第２の側のみが、スライダの底部に連結される。本発明の少なくとも１つの実施形態によれば、中間側面部材は、第１の実質的に上方に配向されたリブと第２の実質的に下方に配向されたリブとを含み、第１のリブは、スライダが上部シール部材に沿って移動したときに上部シール部材と協働し、第２のリブは、スライダが下部シール部材に沿って移動したときに下部シール部材と協働する。
【００４０】
本発明の少なくとも１つの実施形態によれば、（ａ）第１のはめ合い面を有する上部シール部材と、（ｂ）第１のはめ合い面と連動する第２のはめ合い面を有する下部シール部材と、（ｃ）第１のはめ合い面を第２のはめ合い面に連動するスライダとを含む離脱式密封装置を提供する。スライダは、スライダ内にある上部および下部シール部材をスライダの開口端部から閉口端部に渡すために上部シール部材および下部シール部材に沿って移動可能であり、スライダは、第１のはめ合い面を閉じ込めて第２のはめ合い面と接触することによってシールを形成し、スライダは、（ｉ）上部または下部シール部材の端部と、（ｉｉ）スライダの長さと少なくとも同じ長さを有する、上部または下部シール部材内の隙間との少なくとも一方にて上部または下部シール部材の少なくとも一方を離脱させる。スライダを上部または下部シール部材から離脱することができ、上部および下部シール部材の間での離脱力の印加によって下部シール部材から上部シール部材を分離することができ、スライダは、上部シール部材の長さの任意の部分に沿った下部シール部材からの上部シール部材の分離を阻止しない。
【００４１】
本発明の少なくとも１つの実施形態によれば、離脱力は、上部および下部シール部材に連結された材料を強制的に離すことによって生成することができる。
本発明の少なくとも１つの実施形態によれば、密封装置と共に使用されるスライダは、前端を有する中間側面部材を含み、スライダは、（ｉ）中間側面部材の前端の後に長手方向に位置する頂部前端を有する頂部と、（ｉｉ）中間側面部材の前端の後に長手方向に位置する底部前端を有する底部との少なくとも一方を有し、本発明の少なくとも１つの実施形態によれば、前述のスライダに従って使用されるシール部材は、閉鎖棒溝または上昇ウィングを含まない。
【００４２】
添付図面および本明細書において提示しかつ特許請求の範囲によって実施される本発明の詳細な説明において、本発明の様々な実施形態について述べる。しかしながら、この発明の要約は、本発明の態様および実施形態の全てを含むことができるわけではなく、つまり、いかなる点においても制限的または限定的なものであることを意図したものではなく、かつ、本明細書で開示する発明は、本発明の明白な改良例および改変例を包含するように当業者によって理解されることを、理解されたい。
【００４３】
本発明の更なる利点は、特に、添付図面と共に捉えたときに、以下の説明から容易に明らかになろう。
【発明を実施するための最良の形態】
【００４４】
本発明を理解しやすいように幾つかの図面を展開している。以下は、本発明およびその様々な実施形態を例示する図面の簡単な説明である。
以下の開示内容では、提示する種々の実施形態に関連して本発明を説明するが、本発明は、厳密にこれらの実施形態に限定されるものではないことを理解されたい。更に、図面は、必ずしも縮尺どおりのものではなく、特定の例においては、開示内容では、作製および組み立ての従来どおりの詳細など、本発明の理解に不要である詳細は含まれていない場合があることを理解されたい。
【００４５】
本発明の１つの実施形態は、シールを形成する装置である。本装置は、上部シール部材と、下部シール部材と、スライダとを含む。上部シール部材は、第１のはめ合い面と、上昇ウィングとを含む。下部シール部材は、第２のはめ合い面と、閉鎖棒溝とを有する。第１及び第２のはめ合い面は、連結してシールを形成する。スライダは、上部シール部材の上昇ウィングと摺動可能に協働する上昇リブと、下部シール部材の閉鎖棒溝と摺動可能に協働する閉鎖棒とを含む。また、スライダは、上昇リブが閉口時に閉鎖棒の近位にある閉口端部と、上昇リブが開口時に閉鎖棒の近位にある開口端部とを有する本体を含む。スライダが上部シール部材と下部シール部材とをスライダの範囲内で開口端部から閉口端部に渡す方向に移動したとき、スライダは、第１のはめ合い面を閉じ込めて第２のはめ合い面と接触することによってシールを形成する。
【００４６】
初めに、図１を参照すると、図１は、密封装置１０の斜視図を示す。密封装置１０は、上部シール部材１２と、下部シール部材１４と、スライダ１６を含む。密封装置１０は、上部シール部材１２および下部シール部材１４の長さ全体に沿ってシール１７を形成する。密封装置１０が密封されていないとき、開口部１８が、上部シール部材１２と下部シール部材１４との間に存在することによって、シール１７の内部に至る空間へのアクセスが得られる。
【００４７】
使用時においては、シール１７は、スライダ１６をシール１７の長さの下方に摺動させることで形成され、これによって、スライダ１６が、上部シール部材１２のはめ合い面２０を下部シール部材１４のはめ合い面２２と連結させる。この点を踏まえると、本発明は、チャックと類似しており、その結果、装置のユーザは、密封装置１０のチャックを閉めてシールを形成し、密封装置１０のチャックを開けてシール１７の内部へのアクセスをもたらす。
【００４８】
ここで、図２を参照すると、図２は、スライダ１６が存在しない状態で、上部シール部材１２および下部シール部材１４の斜視図を示す。図２は、所望であれば上部シール部材１２を下部シール部材１４に対して逆にすることができることを明瞭に示している。すなわち、図１は、上部シール部材１２はページの右上まで延在し、一方、下部シール部材１４はページの左下まで延在することを示している。逆に、図２は、上部シール部材１２は逆方向に、すなわち、ページの右下まで延在することができ、一方、下部シール部材１４はページの右上まで延在することを示している。したがって、密封装置１０は、いずれかの方向から密封装置１０が取り付けられる物品の内部へのアクセスできるように構成することができる。言うまでもなく、シール１７が十分な長さである場合、密封されていないとき、上部シール部材１２を移動させて下部シール部材１４から離し、任意の方向から装置から取り付けられる物品の内部への広範囲なアクセスを可能にする。
【００４９】
ここで、図３を参照すると、図３は、上部シール部材１２および下部シール部材１４の横断面を示す。この図は、２つの連結部材の構造の詳細図を示す。上部シール部材１２は、少なくとも１つの上昇ウィング２４を含み、図３に示すように、好ましくは２つ又はそれ以上の上昇ウィング２４を含むことができる。更に具体的には、好適な実施形態においては、上部シール部材１２の一部は、上部シール部材１２の主プロファイル部分２５から突出する上昇ウィング２４を含む。したがって、上昇ウィング２４は、その真下に、以下で詳細に論じる、スライダ１６の上昇リブ４６の受け位置の役目をする上昇ウィング溝２６を形成する。上昇ウィング２４は、上昇ウィング溝２６と同じように、様々な形状とすることができる。図１および図２に示すように、場所２８にて始まり、上昇ウィング２４が除去された場合、上昇ウィング２４がないために、スライダ１６の上昇リブ４６は、上部シール部材１２に分離力を掛けることができず、その結果、スライダ１６は、シール１７の場所２８の始まりにてシール１７を分離することができない。したがって、シール１７の端部分３０は、スライダ１６の長さよりも若干短い部分を含み、その結果、上昇ウィング２４が上部シール部材１２から欠如していることが好ましい。使用面においては、スライダ１６がシール１７の端部分３０まで引っ張られたとき、スライダ１６の上昇リブ４６は、上昇ウィング溝２６から離脱し、その結果、スライダ１６の前端での分離が防止される。この離脱によって、スライダ１６前部のシールが密封状態のままであることによって、シール１７が閉鎖されるようにスライダ１６が位置決めされる端部分３０を含め、シール１７の全長に沿ったシールが得られる。
【００５０】
引き続き、図３を参照すると、図３は、スライダ動作中に下部シール部材１４を安定させる閉鎖棒溝３２を示す。好適な実施形態においては、下部シール部材１４は、閉鎖棒溝３２を含む。閉鎖棒溝３２は、例えば、図６に示すスライダ１６の閉鎖棒４８を受け止めながら受け入れるように設計されている。閉鎖棒溝３２は、以下で論じるように、異なる長さおよび形状とすることができる。更に、閉鎖棒溝３２は、以下で論じるように、閉鎖棒４８の終点５２の端部形状５１に対応する端部形状３４を含むことができる。
【００５１】
ここで図１から図３を参照すると、上部シール部材１２のはめ合い面２０および下部シール部材１４のはめ合い面２２によって、機能シール２２を形成する構造体が得られる。更に詳しくは、上部シール部材１２は、下部シール部材１４のはめ合い面２２と合わされることによって、シール１７を形成する形状を有するはめ合い面２０を含む。はめ合い面２０および２０の形状は、以下で論じるように、異なる場合がある。使用時においては、はめ合い面２０は、強制的に、対向するはめ合い面２２との連結位置に配置されて、その結果、シール１７が形成される。
【００５２】
図１および図３を参照すると、本発明のある態様は、僅かながら名前を挙げると、ウェット・スーツ、防火ズボン、雨具、マリン・アパレル、長靴など、異なる物体にシール１７を組み込むことができるように十分な寸法材料および材料の種類を利用することである。したがって、上部シール部材１２は、永久的に物体に取り付けてその物体の上にシールの片側を形成することができるように、十分な幅Ｗ１のはみ出し材を含むことが好ましい。同様に、下部シール部材１４も、物体に永久的に取り付けてその物体のシールの第２の側も形成するように、十分な幅Ｗ２のはみ出し材を含むことが好ましい。上部シール部材１２および下部シール部材１４は、連結してシールを形成することができる弾性材料で作られる。上部および下部シール部材１２、１４は、同じまたは異なる弾性材料で作ることができる。このような材料としては、ポリ塩化ビニール（ＰＶＣ）または直鎖状低密度ポリエチレン（ＬＬＤＰＥ）など、ゴムまたはプラスチックを挙げることができるがこれらに限定されない。使用材料によるが、図１で想像線で示すように、上部シール部材１２および下部シール部材１４を外装物Ｏの隣接材料に接着、熱溶接、またはその他の方法で結合することができる。あるいは、本発明のシール１７は、物体自体の製造中にその物体の不可欠なものとして形成することができる。本発明の１つの態様においては、上部および下部シール部材は、例えば、ジャケット前部など、製品の一部として隣接する材料表面に取り付けられる。したがって、材料面は、実質的に第１の平面を画成するジャケットの正面左右側になる。上部および下部シール部材の連結した第１及び第２のはめ合い面も、例えば図６に示すように、平面を画成する。本発明のこの態様においては、これらの２つの平面は、実質的に平行である。
【００５３】
本発明のある態様では、様々な材料を使用して単一の装置１０を構成することができる。スライダ１６は、硬質プラスチック、ゴム、セラミック、金属、金属合金、またはその組み合わせなど、限定はされないが、相対的に硬質な材料で作られることが好ましい。はめ合い面２０および２２は、所望であれば、複数の材料を組み込むことができる。例えば、個々のオス形状６０およびメス形状６２は、軟質ゴムなど、１つの材料で形成することができ、一方、上部シール部材１２および下部シール部材１４の残りの部分は、それでも弾性的に挙動する若干硬度の高い材料で製造することができる。更に、上部シール部材１２および下部シール部材１４は、はめ合い面２０および２２を含め、金属製または硬質プラスチック製インサートを組み込むことができ、一方、ベルクロなどのフックとループとから成る材料も装置１０に組み込むことができる。更に、ゲル、シリコーン、ポリテトラフルオルエチレン（ＰＴＦＥ）繊維、金属またはコイルジッパ部分、潤滑油、および封止剤もしくはゲル、シリコーン、ポリテトラフルオロエチレン（ＰＴＦＥ）繊維、金属またはコイルジッパ部分、潤滑油または封止剤を、全て、本明細書で開示する本発明の構成部品の１つ以上において使用することができる。
【００５４】
本発明のシールを形成する装置は、広範囲にわたる用途および利点を有する。一般に、本装置は、屋外装身具および衣料品、屋外機器およびケース、マリン・アパレルおよび機器、および日常の衣料品にさえも使用することができる。本装置は、特に、完全防水である必要がある製品に有用である。このような製品としては、危険物防護服、防火服、ドライ・スーツ、ドライ・バッグ、ビビー・サック、防火ズボン、宇宙服、テント、輸送用包装材、家庭用食品保存用バッグ、地図入れ、チャート入れ、カヤック・スカート、バックパック・カバー、コンピュータ・ケース、電子装置ケース、船舶コンテナ、膨張可能なケース（カメラ用など）、浮揚袋、浮揚装置、防水ポケット、釣り用ベスト・ポケット、防臭ポケット（大麦用など）、ウェット・スーツがあるが、これらに限定されない。本発明の装置は、特に、風を通さないことが必要であるかまたは風を通さないことから恩恵を受ける製品にも有用である。このような製品としては、ジャケット、寝袋、雨具、長靴、カヤック・ジャケット、ウィンド・ブレーカ、風を通さないフリース、テントがあるが、これらに限定されない。防水で風を通さないという種々の利点の他に、本発明の装置は、多くの他の利点を有しており、気密、防水、ガス気密、風を通さない、静か、引っ掛かったりまたは挟まる可能性が少ない、軽量、非金属（すなわち、軽くて、安価で冷たくない）、完全に再利用可能、操作が滑らか、廉価で製造しやすいなどがあるが、これらに限定されない。また、この装置は、チャックを覆うフラップが不要であり、本質的に任意のチャック機能において使用することができることによって、本装置を使用して何百もの新しい製品を作ることができる。具体的には、当該の新しい製品としては、すなわち、チャック式防火ズボン、チャック式ドライ・バッグ、チャック式ビビー・サック、簡単に使えるカヤック・スカート、完全防水ロープ・バッグ、完全防水ポケット、防水／気密出荷包装、簡単に着用できるドライ・スーツ、水中写真またはフィルム用日常用カメラ・バッグ、完全防水・完全機能バックパックまたはファニー・パック、チャック式雨ズボン、チャック半割式防水布を挙げることができる。
【００５５】
ここで図４を参照すると、図４は、上部シール部材１２及び下部シール部材１４内に係合されたスライダ１６の側面図を示す。スライダ１６は、開口端部３６と閉口端部３８とを含む。シール・プロファイル１７に沿っていずれかの方向に引かれたとき、プロファイルを通過するスライダの最終端部によって、シールが開状態または閉状態になる。更に具体的には、開口端部３６は、上部シール部材１２を下部シール部材１４から分離する役目を果たす。したがって、スライダ１６がシール１７に沿って引かれるとき、閉口端部３８が開口端部３６を先導するように引かれた場合にはシール１７を開く。逆に、スライダ１６の閉口端部３８は、上部シール部材１２を閉じ込めて圧下して下部シール部材１４と連結して一体となる。したがって、スライダ１６がシール１７に沿って引かれるとき、開口端部３６が閉口端部３８を先導するように引かれた場合にはシール１７を閉じる。この開閉機構においては、シールは、上部シール部材を下部シール部材から引くために上昇ウィングに対して上昇リブにより印加されている力によって開かれる。この機構は、シールを作るはめ合い面または接触面に力が直接印加される密封装置とは異なる。
【００５６】
引き続き図４を参照すると、引きタブ４０は、引きタブ摺動軌道４４の内側で引きタブ４０と相互に結合するようにピン４２を使用してスライダ１６の頂部に沿って取り付けられることが好ましい。引きタブ４０は、引きタブ摺動軌道４４上で前後に摺動し、スライダ１６に関してより効果的な引き角を可能にし、その結果、スライダ１６を操作する取り組みの円滑化および容易化を可能にする。
【００５７】
ここで図５を参照すると、上昇リブ４６が、スライダ１６の開口端部３６にある。上昇リブ４６は、下部シール部材１４に対して分離力を上部シール部材１２に印加する構造体となっている。
【００５８】
ここで図６を参照すると、図６は、図５の線６−６に沿って切取られたスライダ１６の閉口端部３８の立面図を示す。図６は、スライダ１６の閉口端部３８にての上部シール部材１２および下部シール部材１４の配置を示す。閉口端部３８にて、閉鎖棒４８は、下部シール部材１４の閉鎖棒溝３２の内側に嵌っており、下部シール部材１４のはめ合い面２２をスライダ１６の本体５０の内側に閉じ込める役目をする。スライダの本体５０は、スライダ１６の閉口端部３８にて閉じ込められて上部シール部材１２のはめ合い面２０が強制的に下部シール部材１４のはめ合い面２２と連動するようになっている。
【００５９】
図７は、スライダ１６の開口端部３６を正面とするスライダ１６の斜視図を示す。これとは対照的に、図８は、スライダ１６の閉口端部３８を正面とするスライダ１６の斜視図を示す。スライダ１６の両側面に位置する上昇リブ４６が示されている。上昇リブ４６は、スライダ１６の側面全体に沿って、または、開口端部３６にてスライダ１６の閉鎖棒４８の正面半割部に沿ってなど、その一部のみに沿って延在することができる。上昇リブ４６と開口端部３６の閉鎖棒４８の距離は、スライダ１６の閉口端部３８よりも著しく大きい。更に具体的には、図７に示す分離距離Ｓ１は、図８に示す分離距離Ｓ２より大きい。分離距離Ｓ１は、上部シール部材１２のはめ合い面２０を下部シール部材１４のはめ合い面２２から分離するほどの大きさである。再び、図５を参照すると、図５は、下部シール部材１４からの上部シール部材１２の分離をスライダ１６の開口端部３６にて明確に示している。これとは対照的に、再び図６を参照すると、スライダ１６の閉口端部３８の外形形状は、上部シール部材１２が、下部シール部材１４の連結位置にあるようになっている。したがって、スライダ１６の開口端部３６と閉口端部３８の距離は、通過区域であることによって、上部シール部材１２は、開口端部３６にて下部シール部材１４から解放可能に分離されるか、または、上部シール部材１２は、閉口端部３８にて下部シール部材１４と解放可能に連結される。
【００６０】
本発明の構成部品は、無数の異なる構成を組み込むことができる。ここで図９ａから図９ｏを参照すると、図９ａから図９ｏは、スライダ１６の閉口端部３８にての上部シール部材１２および下部シール部材１４の横断面を示す。図９ａは、閉鎖棒４８は、シール・プロファイルの幅に対してむしろ長尺とすることができることを示す。図９ｂは、閉鎖棒４８は中程度の長さである更に異なる改変例を示す。図９ｃを参照すると、図９ｃは、相対的に短尺の閉鎖棒４８を示し、図９ｄにおいては、閉鎖棒４８は、本質的に突起物形状であり、それでも下部シール部材１４内へ延在しているが、側方の長さは無視できるほどのものである。図９ａから図９ｄに示す構成においては、下部シール部材１４内に位置する閉鎖棒溝３２は、対応するサイズの閉鎖棒４８を受け止めるように製造される。
【００６１】
ここで図９ｅを参照すると、下部シール部材１４は、上部シール部材１２に対して異なる高さに合わせて構成することができる。図９ｅは、下部シール部材１４を閉鎖棒４８の周りに巻いて、上部シール部材１２の対応する面と同じ高さまで浮き上がるようにすることができることを示す。この改変例は、シール１７周辺の相対的に目立たないチャック状の構成を可能にするものである。
【００６２】
ここで図９ｆを参照すると、様々な端部形状５１を閉鎖棒４８の終点で使用することができる。あるいは、単純な形状を閉鎖棒４８の長さに沿って任意の地点にて（図示せず）使用することができる。図９ｆは、矢印に似た先端を切り取った半円を閉鎖棒４８の終点５２の端部形状５１として使用することができることを示す。したがって、図示していないが、終点５２は、多くの形態を取る端部形状５１を有することができ、多くの形態としては、円、三角形、矩形、矢印、とげ、多面体形状があるが、これらに限定されないことを理解されたい。更に、図９ｇに示すように、閉鎖棒４８の終点５２は、追加形状のいかなるタイプもなしとすることができる。この改変例は、特に、閉鎖棒４８が単純な突起物形状より長い場合に適用可能であり、その結果、閉じ込め能力と、単に、はめ合わせ領域自体の下の長さによるプロファイルのはめ合わせ区域に対する支えとが得られる。
【００６３】
図９ｈは、上部シール部材１２の頂面周りに巻かれない改変スライダ１６を示す。ここでは、図９ｈの改変スライダ１６は、上部シール部材１２のはめ合いプロファイルの頂面４７へ突出する上昇リブ４６を有する。更に、スライダ１６の側面に沿って第２の上昇リブ４６が位置する。有利なことに、この改変スライダの最も頂部の上昇リブ４６は、上昇リブ４６を上昇リブ部溝２６の内側に固定する形状４９を含む。上昇リブ４６および対応する上昇リブ部溝２６を対象とした様々な形状４９を使用して、上昇リブ４６がスライダ１６の開口端部３６にて上部シール部材１２を下部シール部材１４から引き出すように、上部シール部材１２の頂面４７の内側に上昇リブ４６を固定する機構を実現することができる。
【００６４】
ここで図９ｉを参照すると、図９ｉは、上昇リブ４６を有するスライダ１６を示す。更に具体的には、図９ｉに示す改変スライダ１６は、上部シール部材１２のはめ合いプロファイル２０の頂面４７へ突出する単一の上昇リブ４６を利用するものである。図９ｈに示すスライダの場合と同様に、図９ｉのスライダ１６は、プロファイルがスライダ１６の開口端部３６を通るときに上部シール部材１２を下部シール部材１４から引き出す構造体を実現する形状４９を単一の上昇リブ４６の端部にて使用する。
【００６５】
図９ｊは、上述した種々の特徴の組み合わせを利用してスライダとシールの結合体を形成することを示している。ここでは、図９ｊは、相対的に長尺の閉鎖棒４８を有し、かつ、２つの上昇リブ４６を有するスライダ１６を示しており、第１の上昇リブ４６は、スライダ１６の側面上に位置し、第２の上昇リブ４６は、上部シール部材１２の主要プロファイル部分２５の頂面４７に沿って位置する。更に、下部シール部材１４は、スライダ１６の側面周りに巻かれ、下部シール部材１４の頂側面５３が上部シール部材１２の頂側面５５とほぼ同じ高さとなるような高さまで浮き上がる。
【００６６】
ここで図９ｋを参照すると、図９ｋは、円筒形状を有するスライダ１６を示す。円筒形状スライダ１６は、閉鎖棒４８と、上部シール部材１２が上昇リブ４６にて終端する上部シール部材１２の主要プロファイル部分２５の外部周りに巻かれる本体とを含む。したがって、スライダ１６の形状は、かなり変る場合があるが、開閉シール１７の機能を実現する。
【００６７】
ここで図９ｌを参照すると、図９ｌは、本発明のプロファイルシステムを強化する補剛インサート５４を示す。更に具体的には、下部シール部材１４の内側に複数の補剛インサート５４を含むことで、補剛インサート５４を本発明のシール１７の各部に沿って所定の間隔を置いて配置することができる。インサート５４は、より強いシール構造体を実現し、一方、同時に、シールが、間隔を置いた配置という配置上の性質の結果として相対的柔軟に挙動することを可能にする。間隔を置いたインサートの配置は、米国特許第５，９９１，９８０号で開示されており、この特許の内容全体は、引用により本明細書に組み入れられる。
【００６８】
再び、図９ｌを参照すると、図９ｌは、インサート５４が、屈曲して下部シール部材１４の全体的な外形形状に追従し、下部シール部材１４は、閉鎖棒溝３２を含むことを示す。補剛インサート５４は、本明細書で開示する任意のプロファイル形状において使用することができる。例えば、図９ｍは、本質的に突出部形状である閉鎖棒４８を有するスライダ１６を示す。ここでは、インサート５４は、下部シール部材１４の全体的な輪郭に追従し、下部シール部材１４は、高さが上昇して上部シール部材１２の高さと合致する。同様に、図９ｎは、スライダ１６との、閉鎖棒４８の終点５２にて半円端部形状５１を有するインサート５４の使用を示す。
【００６９】
ここで図９ｏを参照すると、本発明の別の態様においては、シール部材リブ５６を使用して、シール・プロファイルに対する更なる安定性を実現することができる。更に詳しくは、シール部材リブ５６は、下部シール部材１４から突出して上部シール部材１２および下部シール部材１４の連結主要プロファイル部分２５を強化する構造体である。シール部材リブ５６は、上部シール部材１２および下部シール部材１４の主要プロファイル部分２５が下部シール部材１４に向かって移動または回転することを防止することを補助する。シール部材リブ５６のリブ端部５８は、上昇リブ部溝２６へ突出することによって、更なる安定性を追加する。シール部材リブ５６は、様々な形状で形成することができ、かつ、補剛インサート５４を含むことができる。更に、シール部材リブ５６は、上部シール部材１２のプロファイル部分の少なくとも一部に嵌合するように（図示せず）構成することができる。使用時に、スライダ１６の閉鎖棒４８は、閉鎖棒溝３２を通って、上部シール部材１２が下部シール部材１４の連結状態になるまでシール部材リブ５６を外方に偏向させてシール・プロファイル領域から離す。スライダ１６がプロファイルの部分を通過した後、シール部材リブ５６は、図９ｏに示すように、シール・プロファイルを強化する位置に戻る。
【００７０】
図３に示すように、シールは、強制的に上部シール部材１２のはめ合い面２０を下部シール部材１４のはめ合い面２２と連結して接触させることで形成される。したがって、はめ合い面２０および２２は、２つの面が連動することを可能にすることによってシールを形成するはめ合い形状となっている。各はめ合い面は、少なくとも１つ、あるいは、互いに合わさる複数のオス形状６０およびメス形状６２で形成される。ここで図１０を参照すると、図１０は、様々な個々のオスはめ合い形状６０を示す。図１０に示すように、広範囲にわたるオス形状６０が可能である。図１１は、オス形状６０と一対となって、図１２に示すように、オス形状６０およびメス形状６２の連結対６４を形成することができるメス形状６２のマッチング・セットを示す。はめ合い面２０、２２を形成するとき、オス形状６０およびメス形状６２の異なる分類を用いて、各オス形状６０が対応するメス形状６２と合わさる限り、複数の形状を１つのはめ合い面２０および２２内に形成することができる。したがって、オス形状６０およびメス形状６２の様々な組み合わせを用いて、はめ合い面２０および２２の独自の適合組を形成することができる。更に、はめ合い面２０、２２は、１つ、２つ、３つ、または実質的にそれ以上の数のオス形状６０およびメス形状６２を含むことができる。例えば、装置１０は、何百または何千もの舌状部と溝部つまりオス形状６０およびメス形状６２を含むはめ合い面２０、２２が望ましい医療移植分野において種々の用途を有することができる。
【００７１】
ここで図１３を参照すると、様々な異なる複雑な形状を用いて、オス形状６０を形成することができる。すなわち、図１０に示す全てのオス形状６０について、更なる溝またはノッチを上記のオス形状６０内に作ることができる。図１４に示すように、ノッチ６４を有するオス形状６０が使用される場合、対応するメス形状６２は、ノッチ６４と合わさる突出部６６を含むことが好ましい。
【００７２】
使用することができる上述した複雑な形状に加えて、図１５に示すものなど、形状追加部６８をオス形状６０に追加することができる。同様に、図１６に示すように、形状追加部６８も含むメス形状６２を設置することができる。使用される場合、対向するはめ合い面２０または２２は、形状追加部６８に対応するために妥当な凹みまたはノッチ（図示せず）を含む。
【００７３】
ここで図１７．１から図１７．１１を参照すると、本発明の更なる態様は、好ましくは、オス形状６０の長さに沿って様々な形状７０を含むはめ合い面２０および２２を実現することである。説明上、図示する形状の全ては、オス形状６０である。しかしながら、長さに沿って任意の場所で単純な形状７０を組み込むことができるオス形状６０と合わさるように、対応するメス形状６２を用いることが好ましいことを理解されたい。図１７．１は、オス形状６０の頂部および底部上に位置する単純な形状を示すが、中央部には形状はない。図示する単純な形状７０は、オス形状６０の各側面では半円となっている。しかしながら、単純な形状７０は、矩形、三角形など、任意の形態を取ることができることを理解されたい。図１７．２は、頂部にて両側に２つの異なる単純な形状７０を有するオス形状６０を示す。図１７．３は、オス形状６０の長さに沿って互いの上に積み重ねられた３つの単純な形状７０を示す。図１７．４から図１７．９は、使用可能で単純な形状の幾つかの他の可能な組み合わせを示す。本発明の範囲内のもので図示するもの以外の組み合わせが可能である。図１７．１０は、オス形状６０が湾曲状態とすることができることを示す。更に、図１７．１１は、湾曲オス形状６０が、端部においてなど、長さに沿って単純な形状を含むことができることを示す。要約して言えば、オス形状６０は、ノッチ６４、更なる形状６８、単純な形状７０および湾曲部材もしくはノッチ６４、更なる形状６８、単純な形状７０または湾曲部材を含んではめ合い面２０、２２を形成することができる。オス形状６０の結合が求められる場合、メス形状６２はオス形状の６０と合わさり、かつ、突出部６６など、妥当な形状を組み込むことが好ましい。
【００７４】
図１８ａおよび図１８ｂは、上部シール部材１２および下部シール部材１４が、それぞれ、はめ合い面２０および２２に沿って可変高さのオス形状６０を含むことができることを示す。好適な実施形態においては、単一のはめ合い面は、それ自体と合わさるように設計される。更に具体的には、単一のプロファイル部分は、図１８ｃに示すように、それ自体と合わさってシールを形成するように生成、切断、および反転させられる。ここで、単一のプロファイルは上部シール部材１２と下部シール部材１４の両方の役目をする。
【００７５】
ここで図１９および図２０を参照すると、図１９および図２０は、第１の実施形態の改変例を示しており、改変スライダ１６’を上部シール部材１２および下部シール部材１４と組み合わせて使用してシール１７を形成する。スライダ１６’は、閉口部分７２と開口部分７４を特徴とする。スライダ１６の場合と同様に、スライダ１６’をシール１７の長さに沿って移動させてシール１７を閉じるかまたは開ける。使用時においては、スライダ１６’がシール・プロファイルに沿って移動されたときに、閉口部分７２は、閉口部分７２が通過するシール部分を閉じる。逆に、スライダ１６’を反対方向に移動したとき、開口部分７４は、開口部分７４が通るシール部分を開ける。
【００７６】
シール１７の閉鎖が閉口部分７２で発生するのは、上部シール部材１２が下部シール部材１４と閉じ込められた状態に置かれることによって、上部シール部材１２のはめ合い面２０が下部シール部材１４のはめ合い面２２に圧入されるからである。更に詳しくは、上部シール部材１２のはめ合い面２０は、スライダ１６’の上部傾斜部分７６によって下部シール部材１４のはめ合い面２２に圧入される。この動作が発生すると、下部シール部材１４は、スライダ１６’の閉鎖棒４８によって所定の位置に保持される。
【００７７】
傾斜部分７６は、水平方向の内面７８を有することができる。しかしながら傾斜部分７６は、傾動されるかまたは水平面に対して下方の角度αに設定されることが好ましい。この下方の角度αは、はめ合い面２０が下部シール部材１４のはめ合い面２２に圧入されるときに上部シール部材１２を回転する役目をする。上部シール部材１２の回転は、スライダ１６’を使用してシール１７のチャックを閉めたりまたは開けたりするときに、スライダ１６’がより自由に動くことができるように補助するものである。更に、上部シール部材１２の回転は、オス形状６０をメス形状６２内に回転することで閉鎖状態でのシールの気密および防水特性を向上させることによって、個々の面の接触が向上する。スライダ１６’を使用して密封されるはめ合い面２０および２２と関連して使用されるオス形状６０およびメス形状６２は、ノッチ６４、突出部６６、形状追加部６８、単純な形状７０、並びに、はめ合い面２０、２２および構成構造体について先述した全ての他の特徴を含むことができる。
【００７８】
ここで図２０を参照すると、図２０は、上部傾斜部分７６と上部シール部材１２との間の摩擦を低減する一連の部分円筒形状８０を示す。更に具体的には、上部傾斜部分７６の内面７８は、上部シール部材１２の主要プロファイル部分２５の頂面４７と接触する一連の部分円筒形状８０を含むことが好ましい。これらの部分円筒形状８０は、上部シール部材１２が上部傾斜部分７６に接触するときに上部傾斜部分７６と上部シール部材１２との間の摩擦を低減する役目をする。また、部分円筒形状８０は、スライダ１６‘の閉鎖部分７２にて閉鎖棒４８の少なくとも一部に沿って使用されることが好ましい。閉鎖棒４８の内面８２に沿った部分円筒形状８０によって、閉鎖棒４８と下部シール部材１４との間の摩擦が低減される。
【００７９】
スライダ１６’は、閉鎖棒４８を使用して下部シール部材１４の位置を安定化かつ制御する。スライダ１６’に関連して使用される閉鎖棒４８の種々の態様は、先述した置換例の全てを包含するものである。制限なく、閉鎖棒４８は、相対的に長尺、つまり図９ａで先に示したものと類似のものとする場合があるか、または、図９ｄに示すように、非常に短尺であるために突出部の様相を呈する場合がある。また、端部形状５１を含んで下部シール部材１４の把持を補助することができる。これは、特に、相対的に短尺のつまり突出部形状の閉鎖棒４８が利用される場合に有用である。形状に関係なく、スライダ１６の場合と同様に、閉鎖棒４８は、下部部材１４の位置をスライダ１６’の内側で制御する役目をする。
【００８０】
図１９および図２０を参照すると、スライダ１６’の開口部分７４は、上部シール部材１２を下部シール部材１４から分離してシール１７を開ける役目をする。開口部分７４は、１つの上昇リブ４６’を含むことが好ましい。上昇リブ４６’は、スライダ１６’の開口部分７４にて、傾斜位置においてほぼスライダ１６’の中央部からスライダ１６’の端部まで延在することが好ましい。また、開口部分７４は、閉鎖棒４８を含み、閉鎖棒４８は、スライダ１６’の底部の全長に延在することが好ましい。閉鎖棒４８は、下部シール部材４４をスライダ１６’の底部に固定する。スライダ１６’が図１９の矢印８４に従って開口方向に移動したとき、上部シール部材１２上の上昇リブ４６’と下部シール部材１４上の閉鎖棒４８の結合体は、２つのシール部材１２および１４を引き離し、その結果、シールが開く。スライダ１６’内での上昇リブ４６’のこの好ましい使用によって、上部シール部材１２が下部シール部材１４から分離されるときに上部シール部材１２に回転運動が与えられる。この回転が発生するのは、上昇リブ４６’に隣接する主要プロファイル部分２５の側面が、上昇リブ４６’の反対側にある主要プロファイル部分２５の側面の前で上昇するからである。この回転機能は、下部シール部材１４からの上部シール部材１２の分離の円滑化に対応するものであり、また、開口時に上部シール部材１２と下部シール部材１４との間で誘発される摩擦が低減されるためにシール性能の寿命を向上させる傾向がある。上昇リブ４６’は、レール形状とすることができるか、または、図２０に示すように、楔形状とすることができる。
【００８１】
ここで図２１を参照すると、図２１は、上部シール部材１２と下部シール部材１４とを含むシール１７の例を示す。上部シール部材１２の主要プロファイル部分２５の縁部にて上昇溝２６が上昇ウィング２４の下に形成される。上昇溝２６は、スライダ１６’の上昇リブ４６’を受け止めながら受け入れる。また、図２１は、下部シール部材１４の内側にある閉鎖棒溝３２を示す。
【００８２】
図９ａから図９ｏに示す様々なシール構成は、スライダ１６’との使用に適用可能である。更に具体的には、閉鎖棒４８特性およびプロファイルはめ合い面２０、２２など、既に論じた種々の特徴に加えて、スライダ１６’は、図２１に示すものの代替構成および特徴を利用することができる。例えば、スライダ１６’は、単一の頂部取り付け上昇リブ（図９ｉを参照されたい）または側面および頂部取り付け上昇リブ（図９ｊを参照されたい）を組み込むことができる。主要プロファイル部分２５より上にある上部シール部材１２の各部は、下部シール部材１４と同じ高さまたは異なる高さとすることができる。また、スライダ１６’使用時には補剛インサート５４を下部シール部材１４内で使用することができる。
【００８３】
ここで図２２および図２３を参照すると、上昇リブ４６’は、シール１７の３０という端部分にて上昇ウィング２４を切断して上部シール部材１２から取り外すことで、上部シール部材１２を下部シール部材１４から分離するのを防止する。上昇ウィング２４がないことから、スライダ１６’の開口部分７４は、上部シール部材１２の下側を把持することはできないので、下部シール部材１４から分離してしまう。本発明のこの態様は、上部シール部材１２の全長によって下部シール部材１４とともに流体障壁を形成するためにシール１７を閉鎖時に形成することを可能にするものである。
【００８４】
図２４は、スライダ１６’の正面つまり開口部分７４を正面とするスライダ１６’の立面図を示す。この図は、更に、最前面においてスライダ１６’の中央部からスライダ１６’の前端部までの角度で立ち上がる上昇リブ４６’を示す。シール１７開口時に下部シール部材１４の保持を補助するために、溝８８がスライダ１６’内に形成されることが好ましい。
【００８５】
ここで図２５を参照すると、図２５は、スライダ１６’の後部立面図を示す。この図は、閉口部分７２の方を正面とするスライダ１６’を示す。やはり、上昇リブ４６’がスライダ１６’の頂部に向かって立ち上がっていることを示している。
【００８６】
図２６は、図２５に示すのと同じ後部立面図を示すが、上部シール部材１２および下部シール部材１４は、スライダ１６’の内側に配置されている。また、この図は、上昇リブ４６’を覆うように配置された上部シール部材１２の上昇ウィング２４を示す。閉鎖棒４８は、下部シール部材１４をスライダ１６’の内側に固定し、また、スライダ１６’の閉口端部３８にて傾斜部分７６と共に閉じ込めて、下部シール部材１４のはめ合い面２２との連結位置に上部シール部材１２のはめ合い面２０を圧入する。上部シール部材１２の頂面９０は、上部シール部材１２がスライダの前端部にて開状態となるときにスライダ１６’の背後で浮き上がっているのを示している。
【００８７】
図２６とは対照的に、上部シール部材１２および下部シール部材１４を有するスライダ１６’の正面図を図２７に示す。ここでは、スライダ１６’の開口部分７４の機能を示す。上部シール部材１２は、スライダ１６’の開口端部３６にて既に下部シール部材１４から引き離されており、その結果、上部シール部材１２の下面９２が露出される。
【００８８】
更なる実施形態においては、物体の第１の表面の第１の縁部を物体の第２の表面の第２の縁部で密封する装置を含み、第１の縁部は、第２の縁部に実質的に平行であり、第１および第２の表面は、実質的に同一平面上にあり、第１の表面は、第２の表面と反対の方向に延在する。装置は、上部シール部材、下部シール部材、スライダ、栓を含む。上部シール部材は、第１の縁部に取り付けられ、第１のはめ合い面を有する。下部シール部材は、第２の縁部に取り付けられ、第２のはめ合い面を有する。第２のはめ合い面および第１のはめ合い面は、解放可能に連結可能である。スライダは、本体と、スライダ内部構造体と、外部舌状部溝部分とを有する。本体は、開口端部と閉口端部とを含み、閉口端部は、上部シール部材の第１のはめ合い面が下部シール部材の第２のはめ合い面と連結接触され、閉じ込め部分を有する。スライダ内部構造体は、上部シール部材の第１のはめ合い面と協働し、かつ、下部シール部材の第２のはめ合い面と協働する。栓は、栓内部構造体と、外部舌状部溝部分とを有する。栓内部構造体は、上部シール部材の第１のはめ合い面と協働し、かつ下部シール部材の第２のはめ合い面と協働する。閉口位置においては、栓内部構造体は、スライダ内部構造体と協働し、栓の外部舌状部溝部分は、スライダ舌状部溝部分に連動する。スライダが上部シール部材と下部シール部材をスライダの内側で開口端部から閉口端部へ渡す方向に移動されたとき、スライダは、第１のはめ合い面を閉じ込めて第２のはめ合い面と接触することによって、シールが形成される。
【００８９】
図２８から図３１は、密封装置のこの実施形態を示す。密封装置１００は、上部シール部材１２、下部シール部材１４、スライダ１０２、及び栓１０４を含む。スライダ１０２は、引きタブ４０、ピン４２、及び引きタブ軌道４４を含む。この実施形態の態様は、係止することができる密封装置１００を提供することである。したがって、引きタブ４０は、スライダ１０２が閉鎖位置にあるとき、栓１０４の係止受け１０８を受け止めながら受け入れる開口部１０６を含むことが好ましい。更に具体的には、栓１０４は、シール１７の端部に取り付けられる常設止め具である。シール１７を閉じるために、スライダ１０２は、上部シール部材１２と下部シール部材１４のシール・プロファイル１７の下方にチャックが降ろされることによって、上部シール部材１２のはめ合い面２０が、下部シール部材１４のはめ合い面２２と連動する。その後、スライダ１０２は、以下で詳細に論じるように、栓１０４と合わさる閉鎖位置１１０に達する。その後、引きタブ４０は、係止受け１０８が引きタブ４０の開口部１０６を通るように引きタブ４０を順方向の位置に置くことで栓１０４の係止受け１０８で固定される。係止受け１０８は、一般のトラベル・ロック（図示せず）が使えるようにサイズ決めされた穴１１２を含む。
【００９０】
再び図２８および図２９を参照すると、図２８および図２９は、シール１００の２つの斜視図を示す。図２８および図２９は、スライダ１０２および栓１０４がシール・プロファイル１１０の端部にてシール１７を行う、栓１０４を伴う閉鎖位置１１０にあるスライダ１０２を示す。
【００９１】
図３０は、図２８の線３０−３０に沿って上部シール部材１２の側面にて切り取られた密封装置１００の横断面図である。図３０は、スライダ１０２が栓１０４を伴う閉鎖位置１１０にあるときの上部シール部材１２及び下部シール部材１４の配置を示す。ここでは、上部シール部材１２および下部シール部材１４は、スライダ１０２および栓１０４によって占領される区域内で分離された状態で示されている。ここでは、上部シール部材１２および下部シール部材１４は、以下で論じるように、スライダ１０２および栓１０４の内部構造体と共に水圧蒸気障壁を形成する。
【００９２】
図３１は、図２９の線３１−３１に沿って下部シール部材１４の側面にて切り取られた密封装置１００の横断面図である。すなわち、図３１は、図３０に示す横断面と比較して、スライダ１０２／栓１０４結合部の反対側を示す。図３１においては、下部シール部材１４は、スライダ１０２および栓１０４によって占領された区域において上部シール部材１２から分離された状態で示されている。
【００９３】
ここで、図３２を参照すると、図３２は、栓１０４およびスライダ１０２の外部および内部はめ合い構造体を示す。更に具体的には、栓１０４は、スライダ１０２および栓１０４が閉鎖位置１１０に設定されたときにスライダ１０２の外部舌状部溝部分１１６と結合する外部舌状部溝部分１１４を含む。すなわち、スライダ１０２及び栓１０４は、矢印Ａに従って栓１０４と共にスライダ１０２を挿入することで係止される。更に、栓１０４の内部構造体１１８は、上部シール部材１２のはめ合い面２０および下部シール部材１４と協働かつ係止するように成形される。同様に、スライダ１０２の内部構造体１２０は、下部シール部材１０４のはめ合い面２２と協働して係止するように成形される。更に、栓１０４の内部構造体１１８は、スライダ１０２の内部構造体１２０と係止する。シールは、スライダ１０２および栓１０４が閉鎖位置１１０にあるときに形成され、これは、（１）上部シール部材１２のはめ合い面２０が栓１０４の内部構造体１１８の頂部１２２と水圧シールを形成し、また、スライダ１０２の内部構造体１２０の頂部１２４と水圧シールを形成するからであり、かつ（２）下部シール部材１４のはめ合い面２２は、栓１０４の内部構造体１１８の底部１２６と水圧シールを形成し、また、スライダ１０２の内部構造体１２０の底部１２８と水圧シールを形成するからである。
【００９４】
図３１および図３２を参照すると、上部シール部材１２と下部シール部材１４との間の摩擦を低減する閉鎖こぶ１２７が設けられている。更に具体的には、閉鎖こぶ１２７は、円筒形状であり、かつ、スライダ１０２は好ましくはシール１７の長さを下方に移動したときにスライダ１０２と上部シール部材１２および下部シール部材１４との間の摩擦を低減し、これは、スライダ１０２が移動したときには接線方向に閉鎖こぶに触れるのはシール部材１２および１４だけであるからである。
【００９５】
ここで、図３３を参照すると、図３３は、スライダ１０２および栓１０４の平面図を示す。この図は、スライダ１０２が栓１０４と閉鎖位置１１０に置かれたときにスライダ１０２の外部舌状部溝部分１１６と結合する栓１０４の外部舌状部溝部分１１４を示す。
【００９６】
ここで、図３４を参照すると、図３４は、スライダ１０２の内部構造体１２０を正面図で示す。この図は、スライダ１０２の内部構造体１２０が、それぞれ、上部シール部材１２のはめ合い面２０および下部シール部材１４のはめ合い面２２と係止するように形成されることを示す。更に、内部構造体１２０の個々の支柱１３０は、支柱１３０のオス部分が上部シール部材１２のはめ合い面２０のメス形状６２および下部シール部材１４のはめ合い面２２のメス形状６２を途中で押さえることを可能にする角度θに位置する。本発明のこの態様は、スライダ１０２の内部構造体１２０に対する安定性および強度の増加をもたらすものである。
【００９７】
シール１００は、可変高さプロファイルはめ合わせ形状と共に使用されることが好ましい。すなわち、上部シール部材１２および下部シール部材１４のはめ合い面２０および２２のオス形状６０およびメス形状６２は、異なる高さに設定されることが好ましい。例えば、図１８ｃに示すはめ合いプロファイル形状は、上部シール部材１２および下部シール部材１４がスライダ１０２の閉口端部３８にて共に閉じられたときに密封装置１００と共に使用して防水および気密度を補助する好適なプロファイルである。
【００９８】
ここで、図３５から図３６ｂを参照すると、かつ、本発明の１つの実施形態によれば、湾曲上昇リブを含む改変スライダ１６’’を提供する。更に詳しくは、図３５は、上部シール部材１２、下部シール部材１４、及び改変スライダ１６’’を含む装置１０を示し、改変スライダ１６’’は、縦軸Ｌ−Ｌを含む。スライダ１６’の場合と同様に、改変スライダ１６’’の上昇リブ４６’’は、改変スライダ１６’’の中間位置からスライダの開口部分７４の区域内で改変スライダ１６’’の開口端部３４にてまたはその近くの場所まで延在する。スライダの開口部分７４の区域を図３９に示す。また、上昇リブ４６’’は、これらの位置の間の長手方向の長さに沿って彎曲し、更に好ましくは、上昇リブ４６’’は、スライダ１６’’の内側の第１の中間位置１３２からスライダ１６’’の開口端部３６にてまたはその近くの第２の終端位置１３６まで縦軸Ｌ−Ｌに向かって半径方向に内側に湾曲する。したがって、上昇リブ４６’’は、上方および内方の両方に彎曲する。上昇リブ４６’’の曲率は、はめ合い面２０、２２の係止形状６０がスライダ１６’’作動時に回転するためにスライダ１６’’の作動の円滑化に対応するものであり、その結果、閉口時に互いに接触し合うときの、また、開口中に互いから離脱する間の摩擦が低減される。更に詳しくは、上昇リブ４６’’は、上部シール部材１２の上昇ウィング２４を上昇させて、上部シール部材１２が回転によるかまたは剥離本位の分離において下部シール部材１４から円滑に離脱することを可能にする。このような湾曲上昇リブ４６’’は、スライダ１６’’の長さの少なくとも一部に沿って上部および下部シール部材１２および１４を故意に心狂いさせ、それでも有利なことに、オス形状およびメス形状を回転させて合わせたりかつ離したりすることでシール部材１２および１４の係合および離脱の円滑化を行う。更に、湾曲上昇リブ４６’’は、より小さな上昇リブが、より大きなする幅プロファイルを開くことを可能にし、したがって、スライダのコンパクト化に対応している。
【００９９】
ここで図３７および図３８を参照すると、かつ、本発明の少なくとも一部の実施形態によれば、改変スライダ１６’’’の閉口部分７２の区域内で上部内面１４０上にオスリブ１４４を有するスライダ１６’’’を含む密封装置１０を提供する。スライダの閉口部分７２の区域を図３９に示す。オスリブ１４４は、上部シール部材１２の頂面９０に沿って位置するメス溝１４８によって受け止められる。オスリブ１４４および対応するメス溝１４８は、シール部材１２および１４の経路上に停留する能力の維持を補助する。
【０１００】
ここで図４０から図４３を参照すると、本発明の別の実施形態においては、無端密封装置を提供する。より一般的には、少なくとも１つの実施形態によれば、無端閉鎖装置を提供する。本明細書で詳細に説明する以下の無端閉鎖の種々の実施形態は、好適な実施形態を例示する目的で無端シールに関するものである。したがって、図４０で最も良くわかるように、無端密封装置１５２は、無端上部シール部材１５６（上部シール部材１２と構造が類似のものであるが形状が連続しており、つまり無端）と、無端下部シール部材１６０（下部シール部材１４と構造が類似のものであるが形状が連続しており、つまり無端）とを含む。無端上部および下部シール部材１５６および１６０は様々な方法で、例えば一例としてかつ限定しないものとして、シール部材１５６の第１縁部をシール部材１５６の第２縁部に取り付け、またはシール部材１５６および１６０を射出成形することにより、無端な形に形成することができる。図４１に示すように、係止ヒンジスライダ１６４を使用して無端シール部材１５６および１６０を結合したり、解除したりする。本発明の少なくとも一つの実施形態により、係止ヒンジスライダ１６４は本明細書に記載の他のスライダ、例えばスライダ１６’’およびスライダ１６’’’と構造的に類似とすることも可能であるが、ヒンジ１６８に解除可能に固定可能または係止可能な頂部を含むことにより、スライダ頂部を上昇させたり下降させたりできることが望ましい。当業者は認識しかつ理解すると考えられるように、ヒンジ１６８を有する解放可能に係止可能な頂部は、１つの可能な開口スライダ構造体にすぎず、したがって、開口スライダは、脱着可能でありかつスライダ１６４の本体上に素早く元に戻るかまたは他の方法で固定される頂部を含め、様々な構成を含むことができる。したがって、ヒンジ１６８を有する解放可能に係止可能な頂部は、スライダ頂部をスライダ１６４に解放可能に固定する１つの手段にすぎない。
【０１０１】
本発明の種々の実施形態によれば、スライダ１６４は、無端シール部材１５６、１６０の曲率に実質的に合致する湾曲形状を有することができる。一例かつ限定するものではないとして、手袋をバイオ・スーツに密封するのに使用されるスライダは、テントを密封するのに使用されるスライダより大きな曲率を有することができる。
【０１０２】
ここで図４２ａを参照すると、無端密封装置１５２の前に、無端上部および下部シール部材１５６および１６０をまず互いの近くに位置決めする。その後、ヒンジ１６８を有する解放可能に係止可能な頂部が開放位置の状態で、無端上部シール部材１５６を移動させて、スライダ１６４の周辺部で無端下部シール部材１６０と実質的に係合して位置合わせされる。図４２ｂに示すように、ヒンジ１６８を有する解放可能に係止可能な頂部を、図４２ｃに示すような係止位置まで回転させることによって、無端シール部材１５６および１６０のはめ合い面２０、２２の係止形状６０を可能にする。図４３に示すように、次に、スライダ１６４を無端シール部材１５６、１６０周りに前進させて無端シールを形成するが、無端シールは、横断面を実質的に円形とすることができる。図４０で最も良くわかるように、無端上部シール部材１５６は、上昇ウィング２４が既に除去されている隙間部分１７２を含むことによって、スライダ１６０は、無端密封装置１５２が取り付けられる物体の円周部全体を密封することができる。
【０１０３】
本発明の種々の実施形態によれば、かつ、当業者により認識されるように、無端密封装置１５２は、様々な可能な用途を有し、それらには、頭部覆い、袖口、手袋および長靴もしくは頭部覆い、袖口、手袋または長靴、ケミカル・スーツおよびバイオ・スーツもしくはケミカル・スーツまたはバイオ・スーツ用取り付け具、ドライ・スーツ用チャック式首シール、テント開口部およびテント相互連結開口部もしくはテント開口部またはテント相互連結開口部、封入覆い、ファスナおよびバッグもしくはファスナまたはバッグがあるが、これらに限定されない。
【０１０４】
ここで、図４４ａおよび図４４ｂを参照すると、かつ、本発明の少なくとも１つの実施形態によれば、上部および下部シール部材１２および１４と共に使用されるスライダ１７６を提供し、とりわけ、スライダ１７６は、ジャケット、または他の衣服または一般的に分離されたチャックタイプのファスナ機構を有する物品との使用が予想される。したがって、スライダ１７６は、特に、最小サイズのスライダが望ましい物品との使用に適する。スライダ１７６の場合、スライダの作動部分７４は、閉口部分７２と別個のものである。更に詳しくは、スライダ１７６の場合、スライダ本体１８８の頂部１８４およびスライダ本体１８８の底部１９２は、実質的には開口部分７４へ延在するものではない。すなわち、少なくとも１つの実施形態においては、頂部１８４の頂部前端１８５は、中間側面部材１９６の前端１９０の背後に、すなわち、その後部に対して長手方向に位置する。更に、少なくとも１つの実施形態においては、底部１９２の底部前端１９４も、中間側面部材１９６の前端１９０の背後に、すなわち、その後部に対して長手方向に位置する。したがって、本発明の種々の実施形態によれば、頂部前端１８５および底部前端１９４の少なくとも一方は、中間側面部材１９６の前端１９０の背後に、すなわち、その後部に対して長手方向に位置する。更に、頂部前端１８５および底部前端１９４は、中間側面部材１９６の前端１９０から異なる長手方向に離間された距離を隔てて位置することができる。図４４ａおよび図４４ｂに示すように、頂部前端１８５および底部前端１９４は、好ましくは、スライダ１７６の長さＤに沿って約１０％から９０％の間に、更に好ましくは、スライダ１７６の長さＤに沿って約３０％から７０％の間に、尚も更に好ましくは、スライダ１７６の長さＤに沿って約４０％から６０％の間に位置する。したがって、少なくとも１つの実施形態においては、スライダ１７６は、スライダ本体１８８の頂部１８４と底部１９２の間に位置決めされた中間側面部材１９６を有する開口部分７４を含むことが好ましく、中間側面部材１９６は、閉口部分７２から開口部分７４に片持ち状態である。中間側面部材１９６は、上部シール部材１２を下部シール部材１４から分離することで、シールを開けるときに楔の役目を果たし、かつ、シールを閉じるときに漏斗案内の役目を果たす。スライダ１７６の構成の結果として、シール部材１２および１４は、スライダ１７６の正面１８０にて露出されている。
【０１０５】
ここで、図４５ａを参照すると、スライダ１７６は、スライダ１７６のほぼ中央部分を通る垂直面に沿って見たとき、若干平坦化された円または楕円形状の輪郭１９８（点線表示）を有する。ここで、垂直面は、スライダ１７６の縦軸Ｌ−Ｌに実質的に垂直方向に配向される。この構造体は、スライダの実質的にバランスが取れた構成のためにスライダ１７６をより安定させる。更に、図４５ａは、スライダ１７６の中間側面部材１９６が、中間側面部材１９６の一方の側面に沿ってのみ頂部１８４と相互に結合され、中間側面部材１９６の他方の側面に沿ってのみ底部１９２に相互に結合されることが好ましいことを示す。このような構成によって、上部および下部シール部材１２および１４がスライダ１７６のすぐ近傍に実質的に反対方向に延在される。
【０１０６】
ここで、図４５ａから図４５ｃを参照すると、かつ、本発明の少なくとも１つの実施形態によれば、中間側面部材１９６は、合計で１つ以上のリブを更に含むことができ、このようなリブは、存在する場合には、中間側面部材１９６の上部および下面に沿って長手方向に延在することが好ましい。更に詳しくは、図４５ａから図４５ｃに示す例示的なスライダ１７６の場合、上部側面部材リブ２００は、中間側面部材１９６の下面２１２から延在し、下部側面部材リブ２０８は、中間側面部材１９６の下面２１２から延在する。本発明の種々の実施形態によれば、リブ２００、２０８は、ほぼまたは実質的に垂直方向に配向される部分を含むことができ、かつ、長手方向の長さに沿ってある程度の曲率を更に含むことができる。リブ２００および２０８は、連続させることができるか、または、長手方向の長さに沿って複数の開口部を含むことができる。リブ２００および２０８は、スライダ１７６がシールの長さに沿って移動したときに、それぞれ、シール部材１２および１４のはめ合い面２０、２２の位置合わせを補助するとともに、スライダ１７６の適切な追跡の維持も補助する。中間側面部材１９６の上部および下部もしくは上部または下部の表面２０４、２１２の各々の上に２つ以上のリブを設置することができることを理解されたい。一例かつ限定するものではないとして、１つのリブを使用して、それぞれ、シール部材１２および１４のはめ合い面２０、２２のメスはめ合い面の各々と一致させることができる。別の代替構成においては、スライダ１７６は、一切のリブを含まない場合がある。
【０１０７】
ここで、図４６ａ、図４６ｂ、図４７を参照すると、かつ、本発明の少なくとも１つの実施形態においては、スライダ１７６など、スライダ、並びに、上部および下部シール部材１２および１４と使用される初期停止ブロック２２０を有する密封装置２１６を提供する。他の用途において、密封装置２１６は、第１のシール部材１２を第２のシール部材１４から完全に分離することが望ましいジャケットまたは他の衣服、または、寝袋などの物品との使用が予測される。更に、留意点として。シール部材１２および１４のはめ合い面２０および２２に使用される特定の材料は、２つのシール部材１２および１４が互いに対して摺動することを可能にすることができる。したがって、当該の滑りを防止するために、初期停止ブロック２２０を使用することができる。
【０１０８】
密封装置２１６の初期停止ブロック２２０は、シール部材１２および１４の一方に固定されることが好ましく、好適な実施形態においては、初期停止ブロック２２０は、下部シール部材１４に固定される。初期停止ブロック２２０は、上部シール部材１２と係合する手段を含む。一例としてかつ限定しないものとして、少なくとも１つの実施形態においては、初期停止ブロック２２０は、上部シール部材１２の端部分の内側に位置する穴２１８と結合する突出部２２８と相互結合される付勢式ボタン２２４を含む。使用面においては、スライダ１７６は、初期停止ブロック２２０の間近に位置決めされ、その後、上部シール部材１２が、スライダ１７６の正面１８０に摺動され、これは、初期停止ブロック２２０内への上部シール部材１２の順路決めを補助するものである。その後、突出部２２８が上部シール部材１２の内側にある穴２１８に係合して上部シール部材１２を初期停止ブロック２２０内へ解放可能に係止する。突出部２２８の底部は、穴２１８と円滑に結合する傾斜面２２２を含むことが好ましく、傾斜面２２２は、突出部２２８の前部から後部に下方に（または図４７で示すように左から右に）傾斜することが好ましい。上部シール部材１２が初期停止ブロック２２０に解放可能に係止された後、スライダ１７６は、はめ合い面２０、２２の長さを下方に移動されてシール部材１２および１４の間のシールを形成する。シールを離脱させるために、スライダ１７６は、スライダ１７６の後部１８６が初期停止ブロック２２０に隣接して位置するまで初期停止ブロック２２０に向かって移動し、その後、ボタン２２４の背面が押されて、突出部２２８が上部シール部材１２の内側にある穴２１８から上昇することによって、上部シール部材１２を摺動させて初期停止ブロック２２０およびスライダ１７６から脱することができる。
【０１０９】
ここで図４８ａから図４８ｇを参照すると、かつ、本発明の代替実施形態によれば、密封装置２１６’を提供し、本装置は、上部シール部材１２が初期停止ブロック２２０’に挿入された後に上部シール部材１２を保持する代替手段を利用する初期停止ブロック２２０’を有する。更に詳しくは、付勢式突出部を用いて、上部シール部材１２の穴２１８を利用して上部シール部材１２を固定する先述した初期停止ブロック２２０とは対照的に、初期停止ブロック２２０’は、上部シール部材１２を把持または伸ばして初期停止ブロック２２０’と共に上部シール部材を保持する機構を含むことが好ましい。
【０１１０】
図４８ａは、初期停止ブロック２２０’と、初期停止ブロック２２０’に隣接して位置するスライダ２３２とを示す。初期停止ブロック２２０’は、ユーザが通常のチャックシステムを使用する時に行うと思われるように、上部シール部材１２をスライダ２３２の正面１８０に挿通することを可能にする。しかしながら、前出の初期停止ブロック２２０について説明したように小さな突出部と係合するのではなく、上部シール部材１２は、初期停止ブロック２２０’と作動上関連する解放可能に固定または把持する手段によって所定の位置に保持され、このような把持手段は、プロファイルを把持する一連の把持具または薄片２３６を含む（がこれらに限定されない）ことができる。当業者によって理解されるようにように、付勢式突出部、突起物などの構造体、こぶおよび紙やすり状の表面、もしくは、こぶまたは紙やすり状の表面などの粗面の１つ又はそれ以上を含めるために、薄片２３６については多くの形状およびサイズに関する選択肢がある。一般に、把持具または薄片は、上部シール部材１２を把持して所定の位置に保持するようなものとすることができる。上部シール部材を把持する代替手段として、小さな指押しポンプを使用して、真空状態を形成して上部シール部材１２を初期停止ブロック２２０’に保持することができる。あるいは、把持手段は、１つ以上の磁石を含むことができる。１つの可能な構成は、上部シール部材１２の端部に結合されたかまたは上部シール部材１２の端部と一体化している小さな鉄金属または磁石部材を含み、補完的に磁気的に機能する部材が、初期停止ブロック２２０’の内側に位置するかまたは初期停止ブロック２２０’の内側と作動上関連しており、磁力は、上部シール部材１２を適切に所定の位置に保持するには十分である。
【０１１１】
ここで、図４９から図５２を参照すると、かつ、本発明の少なくとも１つの実施形態によれば、ユーザが素早く退出する必要がある物品において使用される脱出式密封装置２４０を提供する。このような状況は、例えば、兵士が寝袋の中で寝ており、敵による脅威または緊急時の状況が現実のものとなったときに存在すると考えられる。このような状況では、兵士たちは、チャック引きを捜す必要がなく寝袋から脱出して寝袋から素早く出ることができる必要がある。脱出式密封装置２４０は、寝袋２４４を密封すると同時に、それでも、兵士が、状況的に考えられる必要に応じて、寝袋２４４から素早く出ることを可能にする手段となる。
【０１１２】
脱出式密封装置２４０は、先述したスライダ１７６など、分離ブロックスライダを利用することが好ましく、スライダ１７６は、中間側面部材１９６の両側から延在する１つ以上の上部側面部材リブ２００および下部側面部材リブ２０８を含むことが好ましい。更に、１つの実施形態においては、脱出式密封装置２４０は、下部シール部材１４より若干短尺である上部シール部材１２を更に含むか、あるいは、スライダ１７６に対応するのに十分な隙間が上部シール部材１２内に存在する。このような構成の場合、スライダ１７６は、上部シール部材１２内の切り取り部分または隙間の周辺において上部シール部材１２から完全に離脱することができる。当然ながらスライダ１７６は、あるいは、下部シール部材１４から離脱することができる。これは、上部シール部材１２よりも短尺の下部シール部材１４を設置することで、または、上部シール部材ついて本明細書で説明したものと同様に、下部シール部材１４に切り取り部分または隙間を設けることで達成することができる。好適な実施形態の説明上、本明細書で例示する種々の例は、上部シール部材１２から離脱するスライダ１７６を対象としたものである。スライダ１７６が、図５２に示すように、上部シール部材１２から離脱したとき、ユーザは、強制的にシール部材１２および１４を離して素早く寝袋２４４を出ることができる。
【０１１３】
使用時において、脱出式密封装置２４０のユーザは、まず、寝袋２４４の底部２４８にて上部シール部材１２をスライダ１７６に送ることによって寝袋２４４を閉じることができる。これによって、ユーザは、その後、寝袋２４４の頂部２５２に向かってスライダ１７６を移動するときに寝袋２４４を閉じることができる。図５０は、寝袋２４４の頂部２５２にて切断または短尺化された上部シール部材１２に対応する位置にあるスライダ１７６を示す。図５１に示すように、スライダ１７６は、スライダ１７６のみが下部シール部材１４と係合するように、上部シール部材１２の端部を越えるように前進させる。図５２に示すように、その後、ユーザは、寝袋の上層を押すと、上部シール部材１２が、下部シール部材１４から（ある程度の妥当な量の力で）離脱することになり、その結果、ユーザは、スライダ１７６を使用することなく、迅速に寝袋２４４を出ることができる。その後、寝袋２４４に戻ったとき、ユーザは、下部シール部材１４に沿ってスライダ１７６を移動させて寝袋の底部２４８まで戻し、上部シール部材１２をスライダ１７６へ送ってもう一度寝袋を閉める。
【０１１４】
脱出式密封装置２４０の場合、１つ以上の上部および下部側面部材リブ２００および２０８は、スライダ１７６を上部シール部材１２を越えさせて上部シール部材１２から離脱させてしまうと、スライダ１７６を下部シール部材１４の軌道上に維持する一助となる。
【０１１５】
本発明の種々の実施形態によれば、かつ、図５０から図５２に示すように、対応する上部および下部シール部材１２および１４のはめ合い面２０および２２は、砂時計構成を有する合い形状を含むことが好ましい。砂時計形状の合い形状は、はめ合い面２０、２２間の十分に高い接触表面積をもたらすことによって、シールの長さに沿って気密および防水の閉鎖が得られると共に、通常使用時にシールを閉状態に保つのに十分な剪断強度も得られ、更に、ユーザは、妥当な量の脱出力でシール強制的に開けることができる。当業者が認識するように、１つ以上の異なる形状およびその組み合わせを使用することができ、かつ、本発明の範囲内であることを理解されたい。
【０１１６】
ここで、図５３および図５４を参照すると、かつ、本発明の種々の実施形態によれば、上部シール部材１２は、下部シール部材１４と係止している状態で示されており、シール部材１２および１４の両はめ合い面２０および２２の形状は、同じであり、したがって、単一のシール部材は、上部および下部の両シール部材として製造および使用される。ここで、図５３を参照すると、はめ合い面２０および２２は、砂時計形状のオス形状４６０も、きのこ形状のオス形状４６４も含む。更に、組み合わせオス形状４６８は、砂時計形状の側と、きのこ形状の側とを含む。オス形状４６０、４６４、４６８は、単独使用時と、図５３に示すように組み合わせ使用時に特定の利点をもたらす。更に詳しくは、種々のオス形状（および対応する種々のメス形状）の組み合わせは、新規なものであり、その理由は、（１）砂時計形状のオス形状４６０は、実質的な密封を行い、したがって、特定のガスの移動に対する抵抗をもたらすることがわかったからであり、また、（２）きのこ形状のオス形状４６４は、妥当な合い（または係止）強度をもたらすと同時に、また、良好なガスおよび水移動抵抗を目指した円形状（かつ、したがって、表面積が大きい）頂部を有するからである。組み合わせオス形状４６８は、隣接する砂時計形状のオス形状４６０およびきのこ形状のオス形状４６４の一体化を可能にすると同時に、係止強度および耐流体移動性にも寄与する。
【０１１７】
ここで、図５４を参照すると、上部および下部の両シール部材１２および１４は、きのこ形状のオス形状４６４のみを有するはめ合い面を含むことによって、著しい係止強度を有するシールを実現する。
【０１１８】
ここで、図５５を参照すると、かつ、本発明の種々の実施形態によれば、シール部材１２および１４の１つ又はそれ以上は、異なる材料を含んで、優れた構造的特性および移動性能特性をもたらすことができる。一例としてかつ限定しないものとして、異なるデュロメータ値を有する２つ又はそれ以上の材料を使用すると、図５５に示す部分４７２についてなど、シール部材１２および１４の各部を形成することができる。このようなシール部材は、共押出し製造法を用いて形成することができる。当然のことながらオス形状は、シール部材の隣接する各部と比較すると、異なる材料を含むこともできる。例えば、砂時計形状のオス形状４６０は、隣接する共押出しきのこ形状のオス形状４６４より下位のデュロメータ材を含むことができる。
【０１１９】
ここで、図５６から図５８を参照すると、かつ、本発明の少なくとも１つの実施形態によれば、二重シール部材４１４が２組のはめ合い面４２２ａおよび４２２ｂを含み、第１のはめ合い面４２２ａが第２のはめ合い面４２２ｂから離間される二重レール・システム４００を提供する。二重レール・システム４００は、単一の製造ステップで２つのはめ合い面を有する下部シール部材を製造することを可能にするという利点を有する。これによって、物品について密封装置を製造する際の経費上の利点が得られる。一例としてかつ限定しないものとして、多くのジャケットは、もっと暖かくなるようにユーザがフリース層などの更なる裏当てをジャケットに追加することができるように、ファスナ付きの裏地を含む。更に別の例においては、寝袋は、ユーザがビビー・サックにてチャックを締める能力を含むことができる。二重レール・システムを設置することで、材料費軽減、軽量化、小形化にて物品を作ることができる。
【０１２０】
図５６に示すように、二重レール・システム４００は、第１の上部シール部材４１２ａのはめ合い面４２０ａを二重下部シール部材４１４の第１のはめ合い面４２２ａに封止することで、第１の上部シール部材４１２ａを二重下部シール部材４１４に結合することを可能にする。更に、二重レール・システム４００は、第２の上部シール部材４１２ｂの第２のはめ合い面４２０ｂを二重下部シール部材４１４の第２のはめ合い面４２２ｂに封止することで、第２の上部シール部材４１２ｂを二重下部シール部材４１４に連動することを可能にする。
【０１２１】
本明細書で説明する様々な密封装置は、前出はめ合い面およびオス／メス形状およびその組み合わせもしくは前出はめ合い面およびオス／メス形状またはその組み合わせのいずれかの１つ以上を使用することができ、当該の使用および可能な組み合わせは、本発明の範囲内であることを理解されたい。
【０１２２】
「ａ」または「ａｎ」の存在物という語は、その存在物の１つ以上を指すことを理解されたい。この点を踏まえて、「ａ」（または「ａｎ」）、「１つ以上」、「少なくとも１つ」という語は、本明細書では交換可能に使用することができる。「からなる」、「含む」、「有する」という語も交換可能に使用することができることを理解されたい。
【０１２３】
以上の説明および図面では数多くの代替実施形態を開示しかつ例示しているが、言うまでもなく、本発明は、これらの実施形態に限定されるものではないことを理解されたい。本発明が関係する当技術分野の当業者は、特に、先の教示内容を検討時には、本発明の諸原理を採用して他の改変および他の実施形態を作ることができる。したがって、出願人は、添付の特許請求の範囲によって、一切の改変および他の実施形態を包含することを意図している。
【０１２４】
本発明は、様々な実施形態においては、様々な実施形態、副結合、およびそのサブセットを含め、実質的に本明細書で示しかつ説明するような構成部品、方法、プロセス、システムおよび装置もしくは構成部品、方法、工程、システムまたは装置を含む。当業者は、本開示内容を理解した後で、本発明を作りかつ使用する方法を理解するであろう。本発明は、様々な実施形態においては、例えば、性能向上または使い易さの実現および実施費の低減もしくは性能の向上または使い易さの実現または実施費の低減を行うために先の装置類またはプロセスで使用されたと考えられるような物品がない場合を含め、本明細書または本明細書の様々な実施形態において示したりおよび説明もしくは示したりまたは説明していない物品がない場合に装置類およびプロセスを提供することを含む。
【０１２５】
本発明の前出の論じた内容は、例示および説明を目的として提示したものである。前出の内容は、本発明を本明細書で開示する形態または諸形態に限定することを意図したものではない。例えば、先の詳細な説明においては、本発明の様々な特徴が、開示内容を合理化することを目的として１つ以上の実施形態において纏められている。この開示方法は、主張する発明では各請求項で明示的に列挙されている以上の特徴を必要とするという意図を反映しているものと解釈すべきではない。むしろ、以下の特許請求の範囲で反映されるように、本発明の種々の態様は、単一の先の開示した実施形態の全ての特徴には至っていない。したがって、以下の特許請求の範囲は、本明細書によって、発明の詳細な説明に組み込まれ、各請求項は、本発明の別個の好適な実施形態として独立している。
【０１２６】
更に、本発明の説明には、１つ以上の実施形態および特定の変形および改変の説明が含まれているが、例えば、本開示内容を理解した後には当業者の技量と知見の範囲内にあると考えられるように、他の変形および改変は、本発明の範囲内である。当該の代替、交換可能、および同等もしくは代替、交換可能または同等の構造体、機能、範囲またはステップが本明細書で開示されているか否かを問わず、かつ、一切の特許取得可能な手段を公に捧げることを意図することなく、代替、交換可能、および同等もしくは代替、交換可能または同等の構造体、機能、範囲またはステップを含め、主張対象のものに許容された範囲で代替実施形態を含む権利を取得することを意図する。
【図面の簡単な説明】
【０１２７】
【図１】本発明の耐水密封装置の第１の実施形態の斜視図を示す。
【図２】本発明の上部シール部材部分と下部シール部材部分の第１の実施形態の斜視図を示す。
【図３】図２の線３−３に沿って切り取られた上部および下部シール部材の横断面図を示す。
【図４】上部および下部シール部材の内側にあるスライダ構成部品を示す本発明の好適な実施形態の側面図を示す。
【図５】図４に示す構成の斜視図を示す。
【図６】図５の線６−６に沿って切取られたスライダの閉口端部の立面図を示す。
【図７】開口端部を正面とするスライダ構成部品の好適な実施形態の斜視図を示す。
【図８】閉口端部を正面とするスライダ構成部品の好適な実施形態の斜視図を示す。
【図９ａ】スライダが長尺閉鎖棒を有するシール・プロファイルの横断面図である。
【図９ｂ】スライダが中程度の長さの閉鎖棒を有するシール・プロファイルの横断面図である。
【図９ｃ】スライダが短尺閉鎖棒を有するシール・プロファイルの横断面図である。
【図９ｄ】スライダが突起物形状の閉鎖棒を有するシール・プロファイルの横断面図である。
【図９ｅ】シール部材が同じ高さにある状態で突起物形状の閉鎖棒を有するシール・プロファイルの横断面図である。
【図９ｆ】スライダが代替端部形状を有する突起物形状の閉鎖棒を有するシール・プロファイルの横断面図である。
【図９ｇ】スライダが端部形状のない中程度の長さの閉鎖棒を有するシール・プロファイルの横断面図である。
【図９ｈ】スライダが頂部および側面取付上昇リブを有するシール・プロファイルの横断面図である。
【図９ｉ】スライダが頂部取付上昇リブを有するシール・プロファイルの横断面図である。
【図９ｊ】スライダが、シール部材が同じ高さの状態で頂部取付上昇リブを有するシール・プロファイルの横断面図である。
【図９ｋ】スライダが円筒形状であるシール・プロファイルの横断面図である。
【図９ｌ】フック形状の補剛インサートを有するシール・プロファイルの横断面図である。
【図９ｍ】同じ高さにあるシール部材内に配置されるように改変された湾曲補剛インサートを有するシール・プロファイルの横断面図である。
【図９ｎ】平坦に近い補剛インサートを有するシール・プロファイルの横断面図である。
【図９ｏ】下部シール部材に取り付けられた安定化リブを有するシール・プロファイルの横断面図である。
【図１０】オスはめ合い面部材用の幾つかの可能な形状を示す横断面図である。
【図１１】図１０に示すものと対応するメスはめ合い面部材を示す横断面図である。
【図１２】図１０および図１１に示すオスおよびメスのはめ合い面部材の組み合わせを示す横断面図である。
【図１３】オスはめ合い面部材の利用可能な様々なノッチパターンを示す横断面図である。
【図１４】図１３に示すものに対応するメスはめ合い面部材を示す横断面図である。
【図１５】オスはめ合い面部材に追加することができる幾つかの更なる形状パターンを示す横断面図である。
【図１６】メスはめ合い面部材に追加することができる幾つかの更なる形状パターンを示す横断面図である。
【図１７】図１７．１から図１７．１１はめ合い面部材を作るために追加することができる幾つかの単純な形状パターンの横断面図である。
【図１８ａ】全く同じ形状の下部シール部材と連結させることができる上部シール部材である。
【図１８ｂ】図１８ａに示すシール部材と連結させることができる下部シール部材である。
【図１８ｃ】図１８ａおよび図１８ｂに示すシール部材を使用して形成されたシールである。
【図１９】第１の実施形態の改変密封装置の斜視図である。
【図２０】図１９に示す改変スライダの斜視図である。
【図２１】図２０に示すスライダと連動して使用することができる１つの可能なシール・プロファイルの横断面図である。
【図２２】スライダがシール・プロファイルの端部の周辺にある図１９の改変密封装置の斜視図である。
【図２３】切断された上昇リブを示すシール・プロファイルの端部の斜視図である。
【図２４】スライダの開口部分正面とする図２０の改変スライダの立面図である。
【図２５】スライダの閉口部分正面とする図２０の改変スライダの立面図である。
【図２６】上部および下部シール・プロファイルがスライダの閉口部分正面とする図２０の改変スライダの立面図である。
【図２７】上部および下部シール・プロファイルがスライダの開口部分正面とする図２０の改変スライダの立面図である。
【図２８】本発明の第２の実施形態の斜視図である。
【図２９】本発明の第２の実施形態の代替斜視図である。
【図３０】図２８の線３０−３０に沿って切取られた横断面図である。
【図３１】図２９の線３１−３１に沿って切取られた横断面図である。
【図３２】第２の実施形態の栓およびスライダの斜視図である。
【図３３】図３２に示す栓およびスライダの平面図である。
【図３４】図３２に示すスライダの正面図である。
【図３５】本発明の少なくとも１つの実施形態による密封装置の斜視図である。
【図３６ａ】図３５のスライダの立面図である。
【図３６ｂ】図３５のスライダの側面図である。
【図３７】改変スライダならびに本発明の実施形態による上部および下部シール部材の側面図である。
【図３８】図３７に示す密封装置の斜視図である。
【図３９】図３７および図３８に示すスライダの側面斜視図である。
【図４０】本発明の実施形態による無端シール部材の斜視図である。
【図４１】図４０に示す無端シール部材と共に使用される係止ヒンジを有するスライダの正面図である。
【図４２ａ】図４０の無端シール部材および図４１のスライダが、シール係合が行われるように組み付けられているときのこれらの構成部品の部分側面図である。
【図４２ｂ】無端シール部材が係合されている、図４２ａに示す構成部品の部分側面図である。
【図４２ｃ】係止ヒンジが係止位置にある、図４２ｂの構成部品の部分側面図である。
【図４３】シールを形成するスライダの動きを例示する無端シール部材およびスライダの斜視図である。
【図４４ａ】本発明の実施形態による分離ブロックスライダの反対側の側面図である。
【図４４ｂ】本発明の実施形態による分離ブロックスライダの反対側の側面図である。
【図４５ａ】図４４ａおよび図４４ｂに示すスライダの正面図である。
【図４５ｂ】図４４ａおよび図４４ｂに示すスライダの斜視図である。
【図４５ｃ】図４４ａおよび図４４ｂに示すスライダの斜視図である。
【図４６ａ】初期停止ブロックを含む、本発明の少なくとも１つの実施形態による密封装置の斜視図である。
【図４６ｂ】図４６ａに示す装置の平面図である。
【図４７】図４６ａおよび図４６ｂに示す装置の側面図である。
【図４８ａ】隣接スライダと共に示す初期停止ブロックの別の実施形態の側面図である。
【図４８ｂ】上部および下部シール部材と共に、図４８ａに示す装置の正面斜視図である。
【図４８ｃ】上部および下部シール部材を伴うがスライダのない、図４８ａおよび図４８ｂの初期停止ブロック部分の側面斜視図である。
【図４８ｄ】シール部材のない、図４８ｃに示す初期停止ブロックの斜視図である。
【図４８ｅ】図４８ｄに示す初期停止ブロックの斜視図である。
【図４８ｆ】図４８ｄに示す初期停止ブロックの斜視図である。
【図４８ｇ】透視にて示す一部の隠れた構造的特徴と共に図４８ｄに示す装置の側面図である。
【図４９】本発明の実施形態による離脱式密封装置を含む寝袋である。
【図５０】本発明の少なくとも１つの実施形態による離脱式密封装置の斜視図である。
【図５１】離脱位置に移動されるスライダと共に図５０に示す装置の斜視図である。
【図５２】上部シール部材を下部シール部材から分離するために印加された離脱力と共に図５１に示す装置の斜視図である。
【図５３】本発明の実施形態による、オスおよびメス形状を有するはめ合い面を有する上部および下部シール部材の側面図である。
【図５４】本発明の実施形態による、オスおよびメス形状を有するはめ合い面を有する上部および下部シール部材の側面図である。
【図５５】本発明の実施形態による、オスおよびメス形状を有するはめ合い面を有する上部および下部シール部材の側面図である。
【図５６】第１及び第２の上部シール部材、つまり、本発明の実施形態による様々なシール部材の近位に位置決めされた二重下部シール部材の斜視図である。
【図５７】図５６に示す二重下部シール部材の側面図である。
【図５８】図５７に示す装置の斜視図である。
【図１】
2008517676.tif 000003
【図２】
2008517676.tif 000004
【図３】
2008517676.tif 000005
【図４】
2008517676.tif 000006
【図５】
2008517676.tif 000007
【図６】
2008517676.tif 000008
【図７】
2008517676.tif 000009
【図８】
2008517676.tif 000010
【図９ａ】
2008517676.tif 000011
【図９ｂ】
2008517676.tif 000012
【図９ｃ】
2008517676.tif 000013
【図９ｄ】
2008517676.tif 000014
【図９ｅ】
2008517676.tif 000015
【図９ｆ】
2008517676.tif 000016
【図９ｇ】
2008517676.tif 000017
【図９ｈ】
2008517676.tif 000018
【図９ｉ】
2008517676.tif 000019
【図９ｊ】
2008517676.tif 000020
【図９ｋ】
2008517676.tif 000021
【図９ｌ】
2008517676.tif 000022
【図９ｍ】
2008517676.tif 000023
【図９ｎ】
2008517676.tif 000024
【図９ｏ】
2008517676.tif 000025
【図１０】
2008517676.tif 000026
【図１１】
2008517676.tif 000027
【図１２】
2008517676.tif 000028
【図１３】
2008517676.tif 000029
【図１４】
2008517676.tif 000030
【図１５】
2008517676.tif 000031
【図１６】
2008517676.tif 000032
【図１７．１−１７．１１】
2008517676.tif 000033
【図１８ａ】
2008517676.tif 000034
【図１８ｂ】
2008517676.tif 000035
【図１８ｃ】
2008517676.tif 000036
【図１９】
2008517676.tif 000037
【図２０】
2008517676.tif 000038
【図２１】
2008517676.tif 000039
【図２２】
2008517676.tif 000040
【図２３】
2008517676.tif 000041
【図２４】
2008517676.tif 000042
【図２５】
2008517676.tif 000043
【図２６】
2008517676.tif 000044
【図２７】
2008517676.tif 000045
【図２８】
2008517676.tif 000046
【図２９】
2008517676.tif 000047
【図３０】
2008517676.tif 000048
【図３１】
2008517676.tif 000049
【図３２】
2008517676.tif 000050
【図３３】
2008517676.tif 000051
【図３４】
2008517676.tif 000052
【図３５】
2008517676.tif 000053
【図３６ａ】
2008517676.tif 000054
【図３６ｂ】
2008517676.tif 000055
【図３７】
2008517676.tif 000056
【図３８】
2008517676.tif 000057
【図３９】
2008517676.tif 000058
【図４０】
2008517676.tif 000059
【図４１】
2008517676.tif 000060
【図４２ａ】
2008517676.tif 000061
【図４２ｂ】
2008517676.tif 000062
【図４２ｃ】
2008517676.tif 000063
【図４３】
2008517676.tif 000064
【図４４ａ】
2008517676.tif 000065
【図４４ｂ】
2008517676.tif 000066
【図４５ａ】
2008517676.tif 000067
【図４５ｂ】
2008517676.tif 000068
【図４５ｃ】
2008517676.tif 000069
【図４６ａ】
2008517676.tif 000070
【図４６ｂ】
2008517676.tif 000071
【図４７】
2008517676.tif 000072
【図４８ａ】
2008517676.tif 000073
【図４８ｂ】
2008517676.tif 000074
【図４８ｃ】
2008517676.tif 000075
【図４８ｄ】
2008517676.tif 000076
【図４８ｅ】
2008517676.tif 000077
【図４８ｆ】
2008517676.tif 000078
【図４８ｇ】
2008517676.tif 000079
【図４９】
2008517676.tif 000080
【図５０】
2008517676.tif 000081
【図５１】
2008517676.tif 000082
【図５２】
2008517676.tif 000083
【図５３】
2008517676.tif 000084
【図５４】
2008517676.tif 000085
【図５５】
2008517676.tif 000086
【図５６】
2008517676.tif 000087
【図５７】
2008517676.tif 000088
【図５８】
2008517676.tif 000089
【国際調査報告】
2008517676.tif 000090
2008517676.tif 000091
2008517676.tif 000092